(57)【要約】      （修正有）【課題】ＷＢ  ＳＣ、アグリゲートＳＣ、重複ＳＣ、ＯＦＤＭ送信フレーム中でデータペイロードを送信するためのシステム及び方法を提供する。【解決手段】プリアンブルと、ヘッダと、データペイロードとを有するフレーム３００−３３０を生成するように構成された処理システムと、プリアンブル、ヘッダおよびデータペイロードが、第１のプロトコルに従って動作するとき、第１のデバイスによって復号可能であり、プリアンブルおよびヘッダが、第２のプロトコルに従って動作するとき、第２のデバイスによって復号可能であり、データペイロードが、第２のプロトコルに従って動作するとき、第２のデバイスによって復号可能でない、送信のためにフレームを出力するインターフェースと、を含む。【選択図】図３
2020156092.tif 000002
【特許請求の範囲】
【請求項１】
プリアンブルと、ヘッダと、データペイロードとを備えるフレームを生成するように構成された処理システムと、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、
送信のために前記フレームを出力するように構成されたインターフェースと
を備える、ワイヤレス通信のための装置。
【請求項２】
前記処理システムが、シングルチャネルを介した送信のために前記フレームを生成するように構成された、請求項１に記載の装置。
【請求項３】
前記シングルチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備える第１のガードインターバルとを備える、請求項２に記載の装置。
【請求項４】
前記第１のガードインターバル中のシーケンスシンボル（sequence symbols）の数が、前記第２のプロトコルに従って指定されたシーケンスシンボルの数とは異なる、請求項３に記載の装置。
【請求項５】
シーケンスシンボルの前記数が３２または１２８である、請求項４に記載の装置。
【請求項６】
前記処理システムが、複数のボンデッドチャネルを介した送信のために前記フレームの前記データペイロードを生成するように構成された、請求項１に記載の装置。
【請求項７】
前記複数のボンデッドチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備えるガードインターバルとを備える、請求項６に記載の装置。
【請求項８】
前記シーケンスシンボルの数がボンデッドチャネルの数の関数である、請求項７に記載の装置。
【請求項９】
ボンデッドチャネルの前記数が２であり、前記ガードインターバル中のシーケンスシンボルの前記数が２５６、１２８または６４である、請求項８に記載の装置。
【請求項１０】
ボンデッドチャネルの前記数が３であり、前記ガードインターバル中のシーケンスシンボルの前記数が３８４、１９２または９６である、請求項８に記載の装置。
【請求項１１】
ボンデッドチャネルの前記数が４であり、前記ガードインターバル中のシーケンスシンボルの前記数が５１２、２５６または１２８である、請求項８に記載の装置。
【請求項１２】
前記少なくとも１つのデータブロックの各々中の前記データシンボルの数が、ボンデッドチャネルの数の関数である、請求項７に記載の装置。
【請求項１３】
ボンデッドチャネルの前記数が２であり、前記少なくともオンデータブロック（on data block）の各々中のデータシンボルの前記数が７５６、８９６または９６０である、請求項１２に記載の装置。
【請求項１４】
ボンデッドチャネルの前記数が３であり、前記少なくともオンデータブロックの各々中のデータシンボルの前記数が１１５２、１４０８または１４４０である、請求項１２に記載の装置。
【請求項１５】
ボンデッドチャネルの前記数が４であり、前記少なくともオンデータブロックの各々中のデータシンボルの前記数が１５３６、１７９２または１９２０である、請求項１２に記載の装置。
【請求項１６】
前記フレームの前記データペイロードが、少なくとも１つのデータブロックを備え、ここにおいて、前記少なくとも１つのデータブロックの各々が、複数のパイロットシンボル（pilot symbols）と、シンボルのシーケンスを備えるガードインターバルとを備え、ここにおいて、前記パイロットシンボルおよびシンボルの前記シーケンスが、前記第１のデバイスに知られている、請求項１に記載の装置。
【請求項１７】
前記処理システムが、前記第１のプロトコルに従ってＭＣＳの第１のセットのうちの１つを用いて前記データペイロードを符号化および変調するように構成され、ここにおいて、前記処理システムが、前記第２のプロトコルに従って変調コーディング方式（ＭＣＳ）の第２のセットのうちの１つを用いて前記ヘッダを符号化および変調するように構成され、ここにおいて、ＭＣＳの前記第１のセットがＭＣＳの前記第２のセットとは異なる、請求項１に記載の装置。
【請求項１８】
ＭＣＳの前記第１のセットが、６４ＱＡＭ、６４ＡＰＳＫ、１２８ＡＰＳＫ、２５６ＱＡＭ、または２５６ＡＰＳＫのうちの少なくとも１つを備え、ＭＣＳの前記第２のセットのサブセット（subset）でない、請求項１７に記載の装置。
【請求項１９】
ＭＣＳの前記第１のセットが、７／８のコードレートをもつπ／２−ＱＰＳＫ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、７／８のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫのうちの少なくとも１つを備え、ＭＣＳの前記第２のセットのサブセットでない、請求項１７に記載の装置。
【請求項２０】
ＭＣＳの前記第１のセットが、１／２のコードレートをもつπ／２−ＢＰＳＫ、５／８のコードレートをもつπ／２−ＢＰＳＫ、３／４のコードレートをもつπ／２−ＢＰＳＫ、１３／１６のコードレートをもつπ／２−ＢＰＳＫ、１／２のコードレートをもつπ／２−ＱＰＳＫ、５／８のコードレートをもつπ／２−ＱＰＳＫ、３／４のコードレートをもつπ／２−ＱＰＳＫ、１３／１６のコードレートをもつπ／２−ＱＰＳＫ、７／８のコードレートをもつπ／２−ＱＰＳＫ、１／２のコードレートをもつπ／２−１６ＱＡＭ、５／８のコードレートをもつπ／２−１６ＱＡＭ、３／４のコードレートをもつπ／２−１６ＱＡＭ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫを備える、請求項１７に記載の装置。
【請求項２１】
前記処理システムが、前記フレームにスペクトルマスクを適用するように構成され、ここにおいて、前記インターフェースが、送信のために、前記マスキングされたフレームを出力するように構成された、請求項１に記載の装置。
【請求項２２】
前記スペクトルマスクが、ボンデッドチャネルの前記数の関数であるコーナーを備える、請求項２１に記載の装置。
【請求項２３】
ボンデッドチャネルの前記数が２であり、ここにおいて、前記コーナーが、０ｄＢｃ相対電力において前記ボンデッドチャネルの中心周波数からそれぞれ±２．０２ＧＨｚである第１のコーナーと、−１７ｄＢｃ相対電力において前記中心周波数からそれぞれ±２．４ＧＨｚである第２のコーナーと、−２２ｄＢｃ相対電力において前記中心周波数からそれぞれ±５．４ＧＨｚである第３のコーナーと、−３０ｄＢｃ相対電力において前記中心周波数からそれぞれ±６．１２ＧＨｚである第４のコーナーとを備える、請求項２２に記載の装置。
【請求項２４】
ボンデッドチャネルの前記数が３であり、ここにおいて、前記コーナーが、０ｄＢｃ相対電力において前記ボンデッドチャネルの中心周波数からそれぞれ±３．１ＧＨｚである第１のコーナーと、−１７ｄＢｃ相対電力において前記中心周波数からそれぞれ±３．６ＧＨｚである第２のコーナーと、−２２ｄＢｃ相対電力において前記中心周波数からそれぞれ±８．１ＧＨｚである第３のコーナーと、−３０ｄＢｃ相対電力において前記中心周波数からそれぞれ±６．１２ＧＨｚである第４のコーナーとを備える、請求項２２に記載の装置。
【請求項２５】
ボンデッドチャネルの前記数が４であり、ここにおいて、前記コーナーが、０ｄＢｃ相対電力において前記ボンデッドチャネルの中心周波数からそれぞれ±４．１８ＧＨｚである第１のコーナーと、−１７ｄＢｃ相対電力において前記中心周波数からそれぞれ±４．８ＧＨｚである第２のコーナーと、−２２ｄＢｃ相対電力において前記中心周波数からそれぞれ±１０．８ＧＨｚである第３のコーナーと、−３０ｄＢｃ相対電力において前記中心周波数からそれぞれ±１２．２４ＧＨｚである第４のコーナーとを備える、請求項２２に記載の装置。
【請求項２６】
前記処理システムが、時間的にボンディングされるが、周波数的に分離された複数のチャネルを介した送信のために前記フレームを生成するように構成された、請求項１に記載の装置。
【請求項２７】
前記データペイロードが、前記複数のチャネルを介して送信されるべき複数のデータブロックを備える、請求項２６に記載の装置。
【請求項２８】
１つのＭＣＳが、前記複数のチャネルを介して送信されるべき前記データブロックを変調および符号化するために使用される、請求項２７に記載の装置。
【請求項２９】
それぞれのチャネルを介して送信されるべき前記データブロックが同等である、請求項２７に記載の装置。
【請求項３０】
前記複数のチャネルのうちの少なくとも２つが、送信のために利用可能な少なくとも１つの別のチャネルによって周波数的に分離され、ここにおいて、前記インターフェースが、前記複数のチャネルのうちの前記少なくとも２つのみを介した送信のために前記フレームを送信するように構成された、請求項２６に記載の装置。
【請求項３１】
前記処理システムが、複数の直交周波数分割多重（ＯＦＤＭ）ボンデッドチャネルを介した送信のために前記フレームを生成するように構成された、請求項１に記載の装置。
【請求項３２】
前記データペイロードを送信するためのデータサブキャリアの数が、前記ＯＦＤＭボンデッドチャネルの数の関数である、請求項３１に記載の装置。
【請求項３３】
データサブキャリアの前記数は、前記ＯＦＤＭボンデッドチャネルの前記数が２である場合、７３２、７３４、または７３５である、請求項３２に記載の装置。
【請求項３４】
データサブキャリアの前記数は、前記ＯＦＤＭボンデッドチャネルの前記数が３である場合、１１２８、１１３３、または１１３４である、請求項３２に記載の装置。
【請求項３５】
データサブキャリアの前記数は、前記ＯＦＤＭボンデッドチャネルの前記数が４である場合、１５２４、１５３３、または１５３４である、請求項３２に記載の装置。
【請求項３６】
パイロット信号を送信するためのパイロットサブキャリアの数が、前記ＯＦＤＭボンデッドチャネルの数の関数である、請求項３１に記載の装置。
【請求項３７】
パイロットサブキャリアの前記数は、前記ＯＦＤＭボンデッドチャネルの前記数が２である場合、３６、３７、または４０である、請求項３６に記載の装置。
【請求項３８】
前記パイロットサブキャリアが、１９個または２１個のサブキャリアだけ離間される、請求項３６に記載の装置。
【請求項３９】
パイロットサブキャリアの前記数は、前記ＯＦＤＭボンデッドチャネルの前記数が３である場合、５６、５７、または６２である、請求項３６に記載の装置。
【請求項４０】
パイロットサブキャリアの前記数は、前記ＯＦＤＭボンデッドチャネルの前記数が４である場合、７６、７７、または８４である、請求項３６に記載の装置。
【請求項４１】
前記複数のＯＦＤＭボンデッドチャネルが、前記第２のプロトコルによって定義されたそれらの間の周波数ギャップをもつ２つの隣接するチャネルを備え、ここにおいて、前記周波数ギャップ内のサブキャリアの数が４１８、４１９、または４２０である、請求項３１に記載の装置。
【請求項４２】
前記処理システムが、複数の直交周波数分割多重（ＯＦＤＭ）ボンデッドチャネルまたはシングルＯＦＤＭチャネルを介した送信のために前記フレームを生成するように構成され、ここにおいて、ＤＣサブキャリアの数は、前記フレームが、前記複数の前記ＯＦＤＭボンデッドチャネルを介して送信されるのか、前記ＯＦＤＭシングルチャネルを介して送信されるのかにかかわらず同じである、請求項１に記載の装置。
【請求項４３】
前記処理システムが、ボンデッドチャネルおよびシングルチャネルを介した送信のために前記フレームを生成するように構成され、ここにおいて、前記ボンデッドチャネルが、送信のために利用可能な少なくとも１つの別のチャネルによって前記シングルチャネルから周波数的に分離され、ここにおいて、前記インターフェースが、前記ボンデッドチャネルおよび前記シングルチャネルのみを介した送信のために前記フレームを出力するように構成された、請求項１に記載の装置。
【請求項４４】
プリアンブルと、ヘッダと、データペイロードとを備えるフレームを生成することと、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、
送信のために前記フレームを出力することと
を備える、ワイヤレス通信のための方法。
【請求項４５】
前記フレームを生成することが、シングルチャネルを介した送信のために前記フレームを生成することを備える、請求項４４に記載の方法。
【請求項４６】
前記シングルチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備える第１のガードインターバルとを備える、請求項４５に記載の方法。
【請求項４７】
前記第１のガードインターバル中のシーケンスシンボルの数が、前記第２のプロトコルに従って指定されたシーケンスシンボルの数とは異なる、請求項４６に記載の方法。
【請求項４８】
シーケンスシンボルの前記数が３２または１２８からなる、請求項４７に記載の方法。
【請求項４９】
前記フレームを生成することが、複数のボンデッドチャネルを介した送信のために前記フレームの前記データペイロードを生成することを備える、請求項４４に記載の方法。
【請求項５０】
前記複数のボンデッドチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備えるガードインターバルとを備える、請求項４９に記載の方法。
【請求項５１】
前記シーケンスシンボルの数がボンデッドチャネルの数の関数である、請求項５０に記載の方法。
【請求項５２】
ボンデッドチャネルの前記数が２であり、前記ガードインターバル中のシーケンスシンボルの前記数が２５６、１２８または６４である、請求項５１に記載の方法。
【請求項５３】
ボンデッドチャネルの前記数が３であり、前記ガードインターバル中のシーケンスシンボルの前記数が３８４、１９２または９６である、請求項５１に記載の方法。
【請求項５４】
ボンデッドチャネルの前記数が４であり、前記ガードインターバル中のシーケンスシンボルの前記数が５１２、２５６または１２８である、請求項５１に記載の方法。
【請求項５５】
前記少なくとも１つのデータブロックの各々中の前記データシンボルの数が、ボンデッドチャネルの数の関数である、請求項５０に記載の方法。
【請求項５６】
ボンデッドチャネルの前記数が２であり、前記少なくともオンデータブロックの各々中のデータシンボルの前記数が７５６、８９６または９６０である、請求項５５に記載の方法。
【請求項５７】
ボンデッドチャネルの前記数が３であり、前記少なくともオンデータブロックの各々中のデータシンボルの前記数が１１５２、１３４４または１４４０である、請求項５５に記載の方法。
【請求項５８】
ボンデッドチャネルの前記数が４であり、前記少なくともオンデータブロックの各々中のデータシンボルの前記数が１５３６、１７９２または１９２０である、請求項５５に記載の方法。
【請求項５９】
前記フレームの前記データペイロードが、少なくとも１つのデータブロックを備え、ここにおいて、前記少なくとも１つのデータブロックの各々が、複数のパイロットシンボルと、シンボルのシーケンスを備えるガードインターバルとを備え、ここにおいて、前記パイロットシンボルおよびシンボルの前記シーケンスが、前記第１のデバイスに知られている、請求項４４に記載の方法。
【請求項６０】
前記第１のプロトコルに従ってＭＣＳの第１のセットのうちの１つを用いて前記データペイロードを符号化および変調することと、前記第２のプロトコルに従って変調コーディング方式（ＭＣＳ）の第２のセットのうちの１つを用いて前記ヘッダを符号化および変調することとをさらに備え、ここにおいて、ＭＣＳの前記第１のセットがＭＣＳの前記第２のセットとは異なる、請求項４４に記載の方法。
【請求項６１】
ＭＣＳの前記第１のセットが、６４ＱＡＭ、６４ＡＰＳＫ、１２８ＡＰＳＫ、２５６ＱＡＭ、または２５６ＡＰＳＫのうちの少なくとも１つを備え、ＭＣＳの前記第２のセットのサブセットでない、請求項６０に記載の方法。
【請求項６２】
ＭＣＳの前記第１のセットが、７／８のコードレートをもつπ／２−ＱＰＳＫ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、７／８のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫのうちの少なくとも１つを備え、ＭＣＳの前記第２のセットのサブセットでない、請求項６０に記載の方法。
【請求項６３】
ＭＣＳの前記第１のセットが、１／２のコードレートをもつπ／２−ＢＰＳＫ、５／８のコードレートをもつπ／２−ＢＰＳＫ、３／４のコードレートをもつπ／２−ＢＰＳＫ、１３／１６のコードレートをもつπ／２−ＢＰＳＫ、１／２のコードレートをもつπ／２−ＱＰＳＫ、５／８のコードレートをもつπ／２−ＱＰＳＫ、３／４のコードレートをもつπ／２−ＱＰＳＫ、１３／１６のコードレートをもつπ／２−ＱＰＳＫ、７／８のコードレートをもつπ／２−ＱＰＳＫ、１／２のコードレートをもつπ／２−１６ＱＡＭ、５／８のコードレートをもつπ／２−１６ＱＡＭ、３／４のコードレートをもつπ／２−１６ＱＡＭ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫを備える、請求項６０に記載の方法。
【請求項６４】
前記フレームにスペクトルマスクを適用することをさらに備え、ここにおいて、送信のために前記フレームを出力することが、送信のために、前記マスキングされたフレームを出力することを備える、請求項４４に記載の方法。
【請求項６５】
前記スペクトルマスクが、ボンデッドチャネルの前記数の関数であるコーナーを備える、請求項６４に記載の方法。
【請求項６６】
ボンデッドチャネルの前記数が２であり、ここにおいて、前記コーナーが、０ｄＢｃ相対電力において前記ボンデッドチャネルの中心周波数からそれぞれ±２．０２ＧＨｚである第１のコーナーと、−１７ｄＢｃ相対電力において前記中心周波数からそれぞれ±２．４ＧＨｚである第２のコーナーと、−２２ｄＢｃ相対電力において前記中心周波数からそれぞれ±５．４ＧＨｚである第３のコーナーと、−３０ｄＢｃ相対電力において前記中心周波数からそれぞれ±６．１２ＧＨｚである第４のコーナーとを備える、請求項６５に記載の方法。
【請求項６７】
ボンデッドチャネルの前記数が３であり、ここにおいて、前記コーナーが、０ｄＢｃ相対電力において前記ボンデッドチャネルの中心周波数からそれぞれ±３．１ＧＨｚである第１のコーナーと、−１７ｄＢｃ相対電力において前記中心周波数からそれぞれ±３．６ＧＨｚである第２のコーナーと、−２２ｄＢｃ相対電力において前記中心周波数からそれぞれ±８．１ＧＨｚである第３のコーナーと、−３０ｄＢｃ相対電力において前記中心周波数からそれぞれ±６．１２ＧＨｚである第４のコーナーとを備える、請求項６５に記載の方法。
【請求項６８】
ボンデッドチャネルの前記数が４であり、ここにおいて、前記コーナーが、０ｄＢｃ相対電力において前記ボンデッドチャネルの中心周波数からそれぞれ±４．１８ＧＨｚである第１のコーナーと、−１７ｄＢｃ相対電力において前記中心周波数からそれぞれ±４．８ＧＨｚである第２のコーナーと、−２２ｄＢｃ相対電力において前記中心周波数からそれぞれ±１０．８ＧＨｚである第３のコーナーと、−３０ｄＢｃ相対電力において前記中心周波数からそれぞれ±１２．２４ＧＨｚである第４のコーナーとを備える、請求項６５に記載の方法。
【請求項６９】
前記フレームを生成することが、時間的にボンディングされるが、周波数的に分離された複数のチャネルを介した送信のために前記フレームを生成することを備える、請求項４４に記載の方法。
【請求項７０】
前記データペイロードが、前記複数のチャネルを介して送信されるべき複数のデータブロックを備える、請求項６９に記載の方法。
【請求項７１】
１つのＭＣＳが、前記複数のチャネルを介して送信されるべき前記データブロックを変調および符号化するために使用される、請求項７０に記載の方法。
【請求項７２】
それぞれのチャネルを介して送信されるべき前記データブロックが同等である、請求項６９に記載の方法。
【請求項７３】
前記複数のチャネルのうちの少なくとも２つが、送信のために利用可能な少なくとも別のチャネルによって周波数的に分離され、ここにおいて、前記フレームを出力することが、前記複数のチャネルのうちの前記少なくとも２つのみを介した送信のために前記フレームを出力することを備える、請求項６９に記載の方法。
【請求項７４】
前記フレームを生成することが、複数の直交周波数分割多重（ＯＦＤＭ）ボンデッドチャネルを介した送信のために前記フレームを生成することを備える、請求項４４に記載の方法。
【請求項７５】
前記データペイロードを送信するためのデータサブキャリアの数が、前記ＯＦＤＭボンデッドチャネルの数の関数である、請求項７４に記載の方法。
【請求項７６】
データサブキャリアの前記数は、前記ＯＦＤＭボンデッドチャネルの前記数が２である場合、７３２、７３４、または７３５である、請求項７５に記載の方法。
【請求項７７】
データサブキャリアの前記数は、前記ＯＦＤＭボンデッドチャネルの前記数が３である場合、１１２８、１１３３、または１１３４である、請求項７５に記載の方法。
【請求項７８】
データサブキャリアの前記数は、前記ＯＦＤＭボンデッドチャネルの前記数が４である場合、１５２４、１５３３、または１５３４である、請求項７５に記載の方法。
【請求項７９】
パイロット信号を送信するためのパイロットサブキャリアの数が、前記ＯＦＤＭボンデッドチャネルの数の関数である、請求項７４に記載の方法。
【請求項８０】
パイロットサブキャリアの前記数は、前記ＯＦＤＭボンデッドチャネルの前記数が２である場合、３６、３７、または４０である、請求項７９に記載の方法。
【請求項８１】
前記パイロットサブキャリアが、１９個または２１個のサブキャリアだけ離間される、請求項７９に記載の方法。
【請求項８２】
パイロットサブキャリアの前記数は、前記ＯＦＤＭボンデッドチャネルの前記数が３である場合、５６、５７、または６２である、請求項７９に記載の方法。
【請求項８３】
パイロットサブキャリアの前記数は、前記ＯＦＤＭボンデッドチャネルの前記数が４である場合、７６、７７、または８４である、請求項７９に記載の方法。
【請求項８４】
前記複数のＯＦＤＭボンデッドチャネルが、前記第２のプロトコルによって定義されたそれらの間の周波数ギャップをもつ２つの隣接するチャネルを備え、ここにおいて、前記周波数ギャップ内のサブキャリアの数が４１８、４１９、または４２０である、請求項７４に記載の方法。
【請求項８５】
前記フレームを生成することが、複数の直交周波数分割多重（ＯＦＤＭ）ボンデッドチャネルまたはシングルＯＦＤＭチャネルを介した送信のために前記フレームを生成することを備え、ここにおいて、ＤＣサブキャリアの数は、前記フレームが、前記複数の前記ＯＦＤＭボンデッドチャネルを介して送信されるのか、前記ＯＦＤＭシングルチャネルを介して送信されるのかにかかわらず同じである、請求項４４に記載の方法。
【請求項８６】
前記フレームを生成することが、ボンデッドチャネルおよびシングルチャネルを介した送信のために前記フレームを生成することを備え、ここにおいて、前記ボンデッドチャネルが、送信のために利用可能な少なくとも別のチャネルによって前記シングルチャネルから周波数的に分離され、ここにおいて、前記フレームを出力することが、前記ボンデッドチャネルおよび前記シングルチャネルのみを介した送信のために前記フレームを出力することを備える、請求項４４に記載の方法。
【請求項８７】
プリアンブルと、ヘッダと、データペイロードとを備えるフレームを生成するための手段と、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、
送信のために前記フレームを出力するための手段と
を備える、ワイヤレス通信のための装置。
【請求項８８】
前記フレームを生成するための前記手段が、シングルチャネルを介した送信のために前記フレームを生成するための手段を備える、請求項８７に記載の装置。
【請求項８９】
前記シングルチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備える第１のガードインターバルとを備える、請求項８８に記載の装置。
【請求項９０】
前記第１のガードインターバル中のシーケンスシンボルの数が、前記第２のプロトコルに従って指定されたシーケンスシンボルの数とは異なる、請求項８９に記載の装置。
【請求項９１】
シーケンスシンボルの前記数が３２または１２８からなる、請求項９０に記載の装置。
【請求項９２】
前記フレームを生成するための前記手段が、複数のボンデッドチャネルを介した送信のために前記フレームの前記データペイロードを生成するための手段を備える、請求項８７に記載の装置。
【請求項９３】
前記複数のボンデッドチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備えるガードインターバルとを備える、請求項９２に記載の装置。
【請求項９４】
前記シーケンスシンボルの数がボンデッドチャネルの数の関数である、請求項９３に記載の装置。
【請求項９５】
ボンデッドチャネルの前記数が２であり、前記ガードインターバル中のシーケンスシンボルの前記数が２５６、１２８または６４である、請求項９４に記載の装置。
【請求項９６】
ボンデッドチャネルの前記数が３であり、前記ガードインターバル中のシーケンスシンボルの前記数が３８４、１９２または９６である、請求項９４に記載の装置。
【請求項９７】
ボンデッドチャネルの前記数が４であり、前記ガードインターバル中のシーケンスシンボルの前記数が５１２、２５６または１２８である、請求項９４に記載の装置。
【請求項９８】
前記少なくとも１つのデータブロックの各々中の前記シンボルの数が、ボンデッドチャネルの数の関数である、請求項９３に記載の装置。
【請求項９９】
ボンデッドチャネルの前記数が２であり、前記少なくともオンデータブロックの各々中のデータシンボルの前記数が７５６、８９６または９６０である、請求項９８に記載の装置。
【請求項１００】
ボンデッドチャネルの前記数が３であり、前記少なくともオンデータブロックの各々中のデータシンボルの前記数が１１５２、１４０８または１４４０である、請求項９８に記載の装置。
【請求項１０１】
ボンデッドチャネルの前記数が４であり、前記少なくともオンデータブロックの各々中のデータシンボルの前記数が１５３６、１７９２または１９２０である、請求項９８に記載の装置。
【請求項１０２】
前記フレームの前記データペイロードが、少なくとも１つのデータブロックを備え、ここにおいて、前記少なくとも１つのデータブロックの各々が、複数のパイロットシンボルと、シンボルのシーケンスを備えるガードインターバルとを備え、ここにおいて、前記パイロットシンボルおよびシンボルの前記シーケンスが、前記第１のデバイスに知られている、請求項８７に記載の装置。
【請求項１０３】
前記フレームを生成するための前記手段は、
前記第１のプロトコルに従ってＭＣＳの第１のセットのうちの１つを用いて前記データペイロードを符号化および変調するための手段と、
前記第２のプロトコルに従って変調コーディング方式（ＭＣＳ）の第２のセットのうちの１つを用いて前記ヘッダを符号化および変調するための手段と、ここにおいて、ＭＣＳの前記第１のセットがＭＣＳの前記第２のセットとは異なる、
を備える、請求項８７に記載の装置。
【請求項１０４】
ＭＣＳの前記第１のセットが、６４ＱＡＭ、６４ＡＰＳＫ、１２８ＡＰＳＫ、２５６ＱＡＭ、または２５６ＡＰＳＫのうちの少なくとも１つを備え、ＭＣＳの前記第２のセットのサブセットでない、請求項１０３に記載の装置。
【請求項１０５】
ＭＣＳの前記第１のセットが、７／８のコードレートをもつπ／２−ＱＰＳＫ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、７／８のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫのうちの少なくとも１つを備え、ＭＣＳの前記第２のセットのサブセットでない、請求項１０３に記載の装置。
【請求項１０６】
ＭＣＳの前記第１のセットが、１／２のコードレートをもつπ／２−ＢＰＳＫ、５／８のコードレートをもつπ／２−ＢＰＳＫ、３／４のコードレートをもつπ／２−ＢＰＳＫ、１３／１６のコードレートをもつπ／２−ＢＰＳＫ、１／２のコードレートをもつπ／２−ＱＰＳＫ、５／８のコードレートをもつπ／２−ＱＰＳＫ、３／４のコードレートをもつπ／２−ＱＰＳＫ、１３／１６のコードレートをもつπ／２−ＱＰＳＫ、７／８のコードレートをもつπ／２−ＱＰＳＫ、１／２のコードレートをもつπ／２−１６ＱＡＭ、５／８のコードレートをもつπ／２−１６ＱＡＭ、３／４のコードレートをもつπ／２−１６ＱＡＭ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫを備える、請求項１０３に記載の装置。
【請求項１０７】
前記フレームにスペクトルマスクを適用するための手段をさらに備え、ここにおいて、送信のために前記フレームを出力するための前記手段が、送信のために、前記マスキングされたフレームを出力するための手段を備える、請求項８７に記載の装置。
【請求項１０８】
前記スペクトルマスクが、ボンデッドチャネルの前記数の関数であるコーナーを備える、請求項１０７に記載の装置。
【請求項１０９】
ボンデッドチャネルの前記数が２であり、ここにおいて、前記コーナーが、０ｄＢｃ相対電力において前記ボンデッドチャネルの中心周波数からそれぞれ±２．０２ＧＨｚである第１のコーナーと、−１７ｄＢｃ相対電力において前記中心周波数からそれぞれ±２．４ＧＨｚである第２のコーナーと、−２２ｄＢｃ相対電力において前記中心周波数からそれぞれ±５．４ＧＨｚである第３のコーナーと、−３０ｄＢｃ相対電力において前記中心周波数からそれぞれ±６．１２ＧＨｚである第４のコーナーとを備える、請求項１０８に記載の装置。
【請求項１１０】
ボンデッドチャネルの前記数が３であり、ここにおいて、前記コーナーが、０ｄＢｃ相対電力において前記ボンデッドチャネルの中心周波数からそれぞれ±３．１ＧＨｚである第１のコーナーと、−１７ｄＢｃ相対電力において前記中心周波数からそれぞれ±３．６ＧＨｚである第２のコーナーと、−２２ｄＢｃ相対電力において前記中心周波数からそれぞれ±８．１ＧＨｚである第３のコーナーと、−３０ｄＢｃ相対電力において前記中心周波数からそれぞれ±６．１２ＧＨｚである第４のコーナーとを備える、請求項１０８に記載の装置。
【請求項１１１】
ボンデッドチャネルの前記数が４であり、ここにおいて、前記コーナーが、０ｄＢｃ相対電力において前記ボンデッドチャネルの中心周波数からそれぞれ±４．１８ＧＨｚである第１のコーナーと、−１７ｄＢｃ相対電力において前記中心周波数からそれぞれ±４．８ＧＨｚである第２のコーナーと、−２２ｄＢｃ相対電力において前記中心周波数からそれぞれ±１０．８ＧＨｚである第３のコーナーと、−３０ｄＢｃ相対電力において前記中心周波数からそれぞれ±１２．２４ＧＨｚである第４のコーナーとを備える、請求項１０８に記載の装置。
【請求項１１２】
前記フレームを生成するための前記手段が、時間的にボンディングされるが、周波数的に分離された複数のチャネルを介した送信のために前記フレームを生成するための手段を備える、請求項８７に記載の装置。
【請求項１１３】
前記データペイロードが、前記複数のチャネルを介して送信されるべき複数のデータブロックを備える、請求項１１２に記載の装置。
【請求項１１４】
１つのＭＣＳが、それぞれ、前記複数のチャネルを介して送信されるべき前記データブロックを変調および符号化するために使用される、請求項１１３に記載の装置。
【請求項１１５】
それぞれのチャネルを介して送信されるべき前記データブロックが同等である、請求項１１２に記載の装置。
【請求項１１６】
前記複数のチャネルのうちの少なくとも２つが、送信のために利用可能な少なくとも別のチャネルによって周波数的に分離され、ここにおいて、前記フレームを出力するための前記手段が、前記複数のチャネルのうちの前記少なくとも２つのみを介した送信のために前記フレームを出力するための手段を備える、請求項１１２に記載の装置。
【請求項１１７】
前記フレームを生成するための前記手段が、複数の直交周波数分割多重（ＯＦＤＭ）ボンデッドチャネルを介した送信のために前記フレームを生成することを備える、請求項８７に記載の装置。
【請求項１１８】
前記データペイロードを送信するためのデータサブキャリアの数が、前記ＯＦＤＭボンデッドチャネルの数の関数である、請求項１１７に記載の装置。
【請求項１１９】
データサブキャリアの前記数は、前記ＯＦＤＭボンデッドチャネルの前記数が２である場合、７３２、７３４、または７３５である、請求項１１８に記載の装置。
【請求項１２０】
データサブキャリアの前記数は、前記ＯＦＤＭボンデッドチャネルの前記数が３である場合、１１２８、１１３３、または１１３４である、請求項１１８に記載の装置。
【請求項１２１】
データサブキャリアの前記数は、前記ＯＦＤＭボンデッドチャネルの前記数が４である場合、１５２４、１５３３、または１５３４である、請求項１１８に記載の装置。
【請求項１２２】
パイロット信号を送信するためのパイロットサブキャリアの数が、前記ＯＦＤＭボンデッドチャネルの数の関数である、請求項１１７に記載の装置。
【請求項１２３】
パイロットサブキャリアの前記数は、前記ＯＦＤＭボンデッドチャネルの前記数が２である場合、３６、３７、または４０である、請求項１２２に記載の装置。
【請求項１２４】
前記パイロットサブキャリアが、１９個または２１個のサブキャリアだけ離間される、請求項１２２に記載の装置。
【請求項１２５】
パイロットサブキャリアの前記数は、前記ＯＦＤＭボンデッドチャネルの前記数が３である場合、５６、５７、または６２である、請求項１２２に記載の装置。
【請求項１２６】
パイロットサブキャリアの前記数は、前記ＯＦＤＭボンデッドチャネルの前記数が４である場合、７６、７７、または８４である、請求項１２２に記載の装置。
【請求項１２７】
前記複数のＯＦＤＭボンデッドチャネルが、前記第２のプロトコルによって定義されたそれらの間の周波数ギャップをもつ２つの隣接するチャネルを備え、ここにおいて、前記周波数ギャップ内のサブキャリアの数が４１８、４１９、または４２０である、請求項１１７に記載の装置。
【請求項１２８】
前記フレームを生成するための前記手段が、複数の直交周波数分割多重（ＯＦＤＭ）ボンデッドチャネルまたはシングルＯＦＤＭチャネルを介した送信のために前記フレームを生成するための手段を備え、ここにおいて、ＤＣサブキャリアの数は、前記フレームが、前記複数の前記ＯＦＤＭボンデッドチャネルを介して送信されるのか、前記ＯＦＤＭシングルチャネルを介して送信されるのかにかかわらず同じである、請求項８７に記載の装置。
【請求項１２９】
前記フレームを生成するための前記手段が、ボンデッドチャネルおよびシングルチャネルを介した送信のために前記フレームを生成するための手段を備え、ここにおいて、前記ボンデッドチャネルが、送信のために利用可能な少なくとも別のチャネルによって前記シングルチャネルから周波数的に分離され、ここにおいて、前記フレームを出力するための前記手段が、前記ボンデッドチャネルおよび前記シングルチャネルのみを介した送信のために前記フレームを出力するための手段を備える、請求項８７に記載の装置。
【請求項１３０】
プリアンブルと、ヘッダと、データペイロードとを備えるフレームを生成することと、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、送信のために前記フレームを出力することとを行うための命令を記憶したコンピュータ可読媒体。
【請求項１３１】
少なくとも１つのアンテナと、
プリアンブルと、ヘッダと、データペイロードとを備えるフレームを生成するように構成された処理システムと、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、
前記少なくとも１つのアンテナを介した送信のために前記フレームを出力するように構成されたインターフェースと
を備える、ワイヤレスノード。
【発明の詳細な説明】
【技術分野】
【０００１】
関連出願の相互参照
[0001]  本出願は、それらの内容全体が参照により本明細書に組み込まれる、２０１５年５月７日に出願された、「Data Payload Format for OFDM WB SC, Aggregate SC, and Duplicate SC Transmission Frames」と題する仮出願第６２／１５８，４３４号、および２０１６年４月２５日に出願された、「System and Method for Transmitting Data Payload in WB SC, Aggregate SC, Duplicate SC, OFDM Transmission Frames」と題する非仮出願第１５／１３７，８６１号の出願日の利益を主張する。
【０００２】
[0002]  本開示のいくつかの態様は、一般にワイヤレス通信（wireless communication）に関し、より詳細には、広帯域シングルキャリア（ＷＢ  ＳＣ：wideband single carrier）、アグリゲート（aggregate）ＳＣ、重複（duplicate）ＳＣ、および直交周波数分割多重（ＯＦＤＭ：orthogonal frequency division multiplexing）送信フレームのためのデータペイロードフォーマットに関する。
【背景技術】
【０００３】
[0003]  ワイヤレス通信システムのために要求される増加する帯域幅の要件という問題に対処するために、異なる方式が開発されている。いくつかの方式では、データは、６０ＧＨｚ範囲中の１つまたは複数のチャネル上で、高データレート（high data rate）（たとえば、数ギガビット／ｓ）で、ワイヤレス送信される。
【発明の概要】
【０００４】
[0004]  本開示のいくつかの態様は、ワイヤレス通信のための装置（apparatus）を提供する。本装置は、プリアンブル（preamble）と、ヘッダ（header）と、データペイロード（data payload）とを備えるフレーム（frame）を生成するように構成された処理システム（processing system）と、ここにおいて、プリアンブル、ヘッダ、およびデータペイロードが、第１のプロトコル（first protocol）に従って動作するとき、第１のデバイス（first device）によって復号可能（decodable）であり、ここにおいて、プリアンブルおよびヘッダが、第２のプロトコル（second protocol）に従って動作するとき、第２のデバイス（second device）によって復号可能であり、データペイロードが、第２のプロトコルに従って動作するとき、第２のデバイスによって復号可能でない、送信のためにフレームを出力するように構成されたインターフェース（interface）とを備える。
【０００５】
[0005]  本開示のいくつかの態様は、ワイヤレス通信のための方法を提供する。本方法は、プリアンブルと、ヘッダと、データペイロードとを備えるフレームを生成することと、ここにおいて、プリアンブル、ヘッダ、およびデータペイロードが、第１のプロトコルに従って動作するとき、第１のデバイスによって復号可能であり、ここにおいて、プリアンブルおよびヘッダが、第２のプロトコルに従って動作するとき、第２のデバイスによって復号可能であり、データペイロードが、第２のプロトコルに従って動作するとき、第２のデバイスによって復号可能でない、送信のためにフレームを出力することとを備える。
【０００６】
[0006]  本開示のいくつかの態様は、ワイヤレス通信のための装置を提供する。本装置は、プリアンブルと、ヘッダと、データペイロードとを備えるフレームを生成するための手段と、ここにおいて、プリアンブル、ヘッダ、およびデータペイロードが、第１のプロトコルに従って動作するとき、第１のデバイスによって復号可能であり、ここにおいて、プリアンブルおよびヘッダが、第２のプロトコルに従って動作するとき、第２のデバイスによって復号可能、データペイロードが、第２のプロトコルに従って動作するとき、第２のデバイスによって復号可能でない、送信のためにフレームを出力するための手段とを備える。
【０００７】
[0007]  本開示のいくつかの態様は、プリアンブルと、ヘッダと、データペイロードとを備えるフレームを生成することと、ここにおいて、プリアンブル、ヘッダ、およびデータペイロードが、第１のプロトコルに従って動作するとき、第１のデバイスによって復号可能であり、ここにおいて、プリアンブルおよびヘッダが、第２のプロトコルに従って動作するとき、第２のデバイスによって復号可能であり、データペイロードが、第２のプロトコルに従って動作するとき、第２のデバイスによって復号可能でない、送信のためにフレームを出力することとを行うための命令を記憶したコンピュータ可読媒体（computer readable medium）を提供する。
【０００８】
[0008]  本開示のいくつかの態様はワイヤレスノード（wireless node）を提供する。本ワイヤレスノードは、少なくとも１つのアンテナと、プリアンブルと、ヘッダと、データペイロードとを備えるフレームを生成するように構成された処理システムと、ここにおいて、プリアンブル、ヘッダ、およびデータペイロードが、第１のプロトコルに従って動作するとき、第１のデバイスによって復号可能であり、ここにおいて、プリアンブルおよびヘッダが、第２のプロトコルに従って動作するとき、第２のデバイスによって復号可能であり、データペイロードが、第２のプロトコルに従って動作するとき、第２のデバイスによって復号可能でない、少なくとも１つのアンテナを介した送信のためにフレームを出力するように構成されたインターフェースとを備える。
【図面の簡単な説明】
【０００９】
【図１】[0009]  本開示のいくつかの態様による、例示的なワイヤレス通信システムのブロック図。
【図２】[0010]  本開示のいくつかの態様による、例示的なアクセスポイント（access point）およびアクセス端末（access terminal）のブロック図。
【図３】[0011]  図３Ａ〜３Ｄは、本開示のいくつかの態様による、シングルチャネル（single channel）および広帯域シングルキャリア（ＷＢ−ＳＣ：wideband single carrier）送信モードを介したデータの送信のための例示的なフレームを示す図。  [0012]  図３Ｅは、本開示のいくつかの態様による、広帯域シングルキャリア（ＷＢ−ＳＣ）送信モードを介したデータの送信のための例示的なフレームのための例示的な送信電力プロファイル（transmit power profile）を示す図。
【図４Ａ】[0013]  本開示のいくつかの態様による、例示的なデータブロック（data block）に関連するパラメータを示すテーブルを示す図。
【図４Ｂ】本開示のいくつかの態様による、例示的なデータブロックに関連するパラメータを示すテーブルを示す図。
【図４Ｃ】[0014]  本開示の別の態様による、例示的なデータブロックの図。
【図５】[0015]  本開示のいくつかの態様による、シングルチャネルシングルキャリア（ＳＣ：single carrier）送信モード、広帯域シングルキャリア（ＷＢ−ＳＣ）送信モード、およびアグリゲートシングルキャリア（ＳＣ）送信モードを介してデータを送信するための例示的な変調コーディング方式（ＭＣＳ：modulation coding scheme）に関連するデータレート（data rate）を示すテーブルを示す図。
【図６】[0016]  本開示の別の態様による、６４直交振幅変調（６４ＱＡＭ：64 quadrature amplitude modulation）に従ってデータビット（data bit）をデータシンボル（data symbol）に（またはその逆に）変換するための例示的なコンスタレーション（constellation）図。
【図７Ａ】[0017]  本開示の別の態様による、６４振幅位相シフトキーイング（６４ＡＰＳＫ：64 amplitude phase-shift keying）変調の第１のバージョンに従ってデータビットをデータシンボルに（またはその逆に）変換するためのコンスタレーション図。
【図７Ｂ】本開示の別の態様による、６４振幅位相シフトキーイング（６４ＡＰＳＫ）変調の第１のバージョンに従ってデータビットをデータシンボルに（またはその逆に）変換するための位相定義（phase definition）テーブルを示す図。
【図８Ａ】[0018]  本開示の別の態様による、６４振幅位相シフトキーイング（６４ＡＰＳＫ）変調の第２のバージョンに従ってデータビットをデータシンボルに（またはその逆に）変換するためのコンスタレーション図。
【図８Ｂ】本開示の別の態様による、６４振幅位相シフトキーイング（６４ＡＰＳＫ）変調の第２のバージョンに従ってデータビットをデータシンボルに（またはその逆に）変換するための位相定義テーブルを示す図。
【図９Ａ】[0019]  本開示の別の態様による、１２８振幅位相シフトキーイング（１２８ＡＰＳＫ）変調に従ってデータビットをデータシンボルに（またはその逆に）変換するためのコンスタレーション図。
【図９Ｂ】本開示の別の態様による、１２８振幅位相シフトキーイング（１２８ＡＰＳＫ）変調に従ってデータビットをデータシンボルに（またはその逆に）変換するための位相定義テーブルを示す図。
【図１０】[0020]  本開示の別の態様による、２５６直交振幅変調（２５６ＱＡＭ）に従ってデータビットをデータシンボルに（またはその逆に）変換するためのコンスタレーション図。
【図１１Ａ】[0021]  本開示の別の態様による、２５６振幅位相シフトキーイング（２５６ＡＰＳＫ）変調に従ってデータビットをデータシンボルに（またはその逆に）変換するためのコンスタレーション図。
【図１１Ｂ】本開示の別の態様による、２５６振幅位相シフトキーイング（２５６ＡＰＳＫ）変調に従ってデータビットをデータシンボルに（またはその逆に）変換するためのラベル定義テーブルを示す図。
【図１１Ｃ】本開示の別の態様による、２５６振幅位相シフトキーイング（２５６ＡＰＳＫ）変調に従ってデータビットをデータシンボルに（またはその逆に）変換するための位相定義テーブルを示す図。
【図１２Ａ】[0022]  本開示の別の態様による、本明細書で説明される様々なフレームに適用されるスペクトルマスク（spectrum mask）に関連する例示的なパラメータのテーブルを示す図。
【図１２Ｂ】[0023]  本開示の別の態様による、シングルチャネルフレームに適用される例示的なスペクトルマスクのグラフを示す図。
【図１２Ｃ】[0024]  本開示の別の態様による、２ボンデッドチャネル（bonded channel）フレームに適用される例示的なスペクトルマスクのグラフを示す図。
【図１２Ｄ】[0025]  本開示の別の態様による、３ボンデッドチャネルフレームに適用される例示的なスペクトルマスクのグラフを示す図。
【図１２Ｅ】[0026]  本開示の別の態様による、４ボンデッドチャネルフレームに適用される例示的なスペクトルマスクのグラフを示す図。
【図１３Ａ】[0027]  本開示のいくつかの態様による、アグリゲート（隣接チャネル（adjacent channel））シングルキャリア（ＳＣ）送信モードを介したデータの送信のための例示的なフレームを示す図。
【図１３Ｂ】本開示のいくつかの態様による、アグリゲート（隣接チャネル）シングルキャリア（ＳＣ）送信モードを介したデータの送信のための例示的なフレームを示す図。
【図１３Ｃ】本開示のいくつかの態様による、アグリゲート（隣接チャネル）シングルキャリア（ＳＣ）送信モードを介したデータの送信のための例示的なフレームを示す図。
【図１３Ｄ】本開示のいくつかの態様による、アグリゲート（隣接チャネル）シングルキャリア（ＳＣ）送信モードを介したデータの送信のための例示的なフレームを示す図。
【図１４Ａ】[0028]  本開示のいくつかの態様による、アグリゲート（非隣接チャネル（non-adjacent channel））シングルキャリア（ＳＣ）送信モードを介したデータの送信のための例示的なフレームを示す図。
【図１４Ｂ】本開示のいくつかの態様による、アグリゲート（非隣接チャネル）シングルキャリア（ＳＣ）送信モードを介したデータの送信のための例示的なフレームを示す図。
【図１４Ｃ】本開示のいくつかの態様による、アグリゲート（非隣接チャネル）シングルキャリア（ＳＣ）送信モードを介したデータの送信のための例示的なフレームを示す図。
【図１４Ｄ】本開示のいくつかの態様による、アグリゲート（非隣接チャネル）シングルキャリア（ＳＣ）送信モードを介したデータの送信のための例示的なフレームを示す図。
【図１４Ｅ】本開示のいくつかの態様による、アグリゲート（非隣接チャネル）シングルキャリア（ＳＣ）送信モードを介したデータの送信のための例示的なフレームを示す図。
【図１５Ａ】[0029]  本開示のいくつかの態様による、アグリゲート（非隣接チャネル）直交周波数分割多重（ＯＦＤＭ）送信モードを介したデータの送信のための例示的なフレームを示す図。
【図１５Ｂ】本開示のいくつかの態様による、アグリゲート（非隣接チャネル）直交周波数分割多重（ＯＦＤＭ）送信モードを介したデータの送信のための例示的なフレームを示す図。
【図１５Ｃ】本開示のいくつかの態様による、アグリゲート（非隣接チャネル）直交周波数分割多重（ＯＦＤＭ）送信モードを介したデータの送信のための例示的なフレームを示す図。
【図１５Ｄ】[0030]  本開示の別の態様による、直交周波数分割多重（ＯＦＤＭ）送信モードでの送信のためのフレームを示す図。
【図１５Ｅ】本開示の別の態様による、直交周波数分割多重（ＯＦＤＭ）送信モードでの送信のためのフレームを示す図。
【図１６Ａ】[0031]  本開示の別の態様による、ＯＦＤＭ送信モードに関連する例示的なパラメータのテーブルを示す図。
【図１６Ｂ】[0032]  本開示の別の態様による、直交周波数分割多重（ＯＦＤＭ）送信モードに関連する４２０サブキャリアチャネル離間（subcarrier channel spacing）のための例示的なパイロットサブキャリア（pilot subcarrier）割当てのテーブルを示す図。
【図１６Ｃ】[0033]  本開示の別の態様による、直交周波数分割多重（ＯＦＤＭ）送信モードに関連する４１８サブキャリアチャネル離間のための例示的なパイロットサブキャリア割当てのテーブルを示す図。
【図１６Ｄ１】[0034]  本開示の別の態様による、直交周波数分割多重（ＯＦＤＭ）送信モードに関連するシングルチャネル事例についての４１９サブキャリアチャネル離間のための例示的なパイロットサブキャリア割当てのテーブルを示す図。
【図１６Ｄ２】本開示の別の態様による、直交周波数分割多重（ＯＦＤＭ）送信モードに関連する２ボンデッドチャネル事例についての４１９サブキャリアチャネル離間のための例示的なパイロットサブキャリア割当てのテーブルを示す図。
【図１６Ｄ３】本開示の別の態様による、直交周波数分割多重（ＯＦＤＭ）送信モードに関連する３ボンデッドチャネル事例についての４１９サブキャリアチャネル離間のための例示的なパイロットサブキャリア割当てのテーブルを示す図。
【図１６Ｄ４】本開示の別の態様による、直交周波数分割多重（ＯＦＤＭ）送信モードに関連する４ボンデッドチャネル事例についての４１９サブキャリアチャネル離間のための例示的なパイロットサブキャリア割当てのテーブルを示す図。
【図１６Ｅ】[0035]  本開示のいくつかの態様による、直交周波数分割多重（ＯＦＤＭ）送信モードを介してデータを送信するための例示的な利用可能な変調コーディング方式（ＭＣＳ）に関連するデータレートを示すテーブルを示す図。
【図１７】[0036]  本開示のいくつかの態様による、デバイスを示すブロック図。
【発明を実施するための形態】
【００１０】
[0037]  添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載される態様をいくつ使用しても、装置は実装され得、または方法は実施され得る。さらに、本開示の範囲は、本明細書に記載される本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００１１】
[0038]  「例示的（exemplary）」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。
【００１２】
[0039]  本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００１３】
[0040]  本明細書で説明される技法は、直交多重化方式に基づく通信システムを含む様々なブロードバンドワイヤレス通信システムのために使用され得る。そのような通信システムの例としては、空間分割多元接続（ＳＤＭＡ：Spatial Division Multiple Access）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のアクセス端末に属するデータを同時に送信するために十分に異なる方向を利用し得る。ＴＤＭＡシステムは、送信信号を異なるタイムスロットに分割することによって、複数のアクセス端末が同じ周波数チャネルを共有することを可能にし得、各タイムスロットは異なるアクセス端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリア（subcarrier）は、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００１４】
[0041]  本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００１５】
[0042]  アクセスポイント（access point）（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００１６】
[0043]  アクセス端末（access terminal）（「ＡＴ」）は、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００１７】
[0044]  図１は、アクセスポイントおよびアクセス端末など、複数のワイヤレスノードをもつワイヤレス通信システム１００の一例のブロック図を示す。簡単のために、ただ１つのアクセスポイント１１０が示されている。アクセスポイントは、概して、アクセス端末と通信する固定局であり、基地局または何らかの他の用語で呼ばれることもある。アクセス端末は、固定または移動であり得、移動局、ワイヤレスデバイスまたは何らかの他の用語で呼ばれることがある。アクセスポイント１１０は、ダウンリンクおよびアップリンク上で所与の瞬間において１つまたは複数のアクセス端末１２０ａ〜１２０ｉと通信し得る。ダウンリンク（すなわち、順方向リンク）はアクセスポイントからアクセス端末への通信リンクであり、アップリンク（すなわち、逆方向リンク）はアクセス端末からアクセスポイントへの通信リンクである。アクセス端末はまた、別のアクセス端末とピアツーピアで通信し得る。システムコントローラ１３０が、アクセスポイント１１０に結合し、アクセスポイントのための協調および制御を行う。アクセスポイント１１０は、バックボーンネットワーク１５０に結合された他のデバイスと通信し得る。
【００１８】
[0045]  図２は、ワイヤレス通信システム１００におけるアクセスポイント１１０（概して、第１のワイヤレスノード）およびアクセス端末１２０（概して、第２のワイヤレスノード）のブロック図を示す。アクセスポイント１１０は、ダウンリンクでは送信エンティティであり、アップリンクでは受信エンティティである。アクセス端末１２０は、アップリンクでは送信エンティティであり、ダウンリンクでは受信エンティティである。本明細書で使用される「送信エンティティ（transmitting entity）」は、ワイヤレスチャネルを介してデータを送信することが可能な独立動作型の装置またはデバイスであり、「受信エンティティ（receiving entity）」は、ワイヤレスチャネルを介してデータを受信することが可能な独立動作型の装置またはデバイスである。
【００１９】
[0046]  データを送信するために、アクセスポイント１１０は、送信データプロセッサ２２０と、フレームビルダー（frame builder）２２２と、送信プロセッサ２２４と、トランシーバ２２６と、１つまたは複数のアンテナ２３０（簡単のために、１つのアンテナが示されている）とを備える。アクセスポイント１１０は、以下でさらに説明されるように、アクセスポイント１１０の動作を制御するためのコントローラ２３４をも備える。
【００２０】
[0047]  動作中、送信データプロセッサ２２０は、データソース２１５からデータ（たとえば、データビット）を受信し、送信のためにデータを処理する。たとえば、送信データプロセッサ２２０は、データ（たとえば、データビット）を符号化されたデータに符号化し、符号化されたデータをデータシンボルに変調し得る。送信データプロセッサ２２０は、異なる変調およびコーディング方式（ＭＣＳ：modulation and coding scheme）をサポートし得る。たとえば、送信データプロセッサ２２０は、複数の異なるコーディングレートのうちのいずれか１つで（たとえば、低密度パリティチェック（ＬＤＰＣ：low-density parity check）符号化を使用して）データを符号化し得る。また、送信データプロセッサ２２０は、限定はしないが、ＢＰＳＫ、ＱＰＳＫ、ＳＱＰＳＫ、１６ＱＡＭ、６４ＱＡＭ、６４ＡＰＳＫ、１２８ＡＰＳＫ、２５６ＱＡＭ、および２５６ＡＰＳＫを含む、複数の異なる変調方式のうちのいずれか１つを使用して、符号化されたデータを変調し得る。
【００２１】
[0048]  いくつかの態様では、コントローラ２３４は、（たとえば、ダウンリンクのチャネル状態に基づいて）どの変調およびコーディング方式（ＭＣＳ）を使用すべきかを指定するコマンドを送信データプロセッサ２２０に送り得、送信データプロセッサ２２０は、指定されたＭＣＳに従ってデータソース２１５からのデータを符号化および変調（encode and modulate）し得る。送信データプロセッサ２２０は、データスクランブリング（data scrambling）および／または他の処理など、追加の処理をデータに対して実行し得ることを諒解されたい。送信データプロセッサ２２０は、フレームビルダー２２２にデータシンボルを出力する。
【００２２】
[0049]  フレームビルダー２２２は、（パケットとも呼ばれる）フレームを構成し、フレームのデータペイロードにデータシンボルを挿入する。フレームは、プリアンブルと、ヘッダと、データペイロードとを含み得る。プリアンブルは、以下でさらに説明されるように、アクセス端末１２０がフレームを受信するのを支援するために、ショートトレーニングフィールド（ＳＴＦ：short training field）シーケンス（sequence）とチャネル推定フィールド（ＣＥＦ：channel estimation field）シーケンスとを含み得る。ヘッダは、データの長さ、ならびにデータを符号化および変調するために使用されるＭＣＳなど、ペイロード（payload）中のデータに関係する情報を含み得る。この情報は、アクセス端末１２０がデータを復調および復号することを可能にする。ペイロード中のデータは複数のブロックの間で分割され得、ここで、各ブロックは、以下でさらに説明されるように、データの一部分と、受信機の位相追跡を支援するためのガードインターバル（ＧＩ：guard interval）とを含み得る。フレームビルダー２２２は、送信プロセッサ２２４にフレームを出力する。
【００２３】
[0050]  送信プロセッサ２２４は、ダウンリンク上での送信のためにフレームを処理する。たとえば、送信プロセッサ２２４は、直交周波数分割多重（ＯＦＤＭ）送信モードおよびシングルキャリア（ＳＣ）送信モードなど、異なる送信モードをサポートし得る。この例では、コントローラ２３４は、どの送信モードを使用すべきかを指定するコマンドを送信プロセッサ２２４に送り得、送信プロセッサ２２４は、指定された送信モードに従って送信のためにフレームを処理し得る。送信プロセッサ２２４は、ダウンリンク信号の周波数成分がいくつかのスペクトル要件を満たすように、フレームにスペクトルマスク（spectrum mask）を適用し得る。
【００２４】
[0051]  トランシーバ２２６は、１つまたは複数のアンテナ２３０を介した送信のために送信プロセッサ２２４の出力を受信および処理（たとえば、アナログに変換、増幅、フィルタ処理、および周波数アップコンバート）する。たとえば、トランシーバ２２６は、送信プロセッサ２２４の出力を、６０ＧＨｚ範囲中の周波数を有する送信信号にアップコンバートし得る。
【００２５】
[0052]  いくつかの態様では、送信プロセッサ２２４は、多出力多入力（ＭＩＭＯ：multiple-output-multiple-input）送信をサポートし得る。これらの態様では、アクセスポイント１１０は、複数のアンテナと複数のトランシーバ（たとえば、各アンテナについて１つ）とを含み得る。送信プロセッサ２２４は、着信データシンボルに対して空間処理を実行し、複数のアンテナに複数の送信シンボルストリームを与え得る。トランシーバは、アンテナを介した送信のための送信信号を生成するために、それぞれの送信シンボルストリームを受信および処理（たとえば、アナログに変換、増幅、フィルタ処理、および周波数アップコンバート）する。
【００２６】
[0053]  データを送信するために、アクセス端末１２０は、送信データプロセッサ２６０と、フレームビルダー２６２と、送信プロセッサ２６４と、トランシーバ２６６と、１つまたは複数のアンテナ２７０（簡単のために、１つのアンテナが示されている）とを備える。アクセス端末１２０は、アップリンク上でアクセスポイント１１０にデータを送信し、および／または（たとえば、ピアツーピア通信のために）別のアクセス端末にデータを送信し得る。アクセス端末１２０は、以下でさらに説明されるように、アクセス端末１２０の動作を制御するためのコントローラ２７４をも備える。
【００２７】
[0054]  動作中、送信データプロセッサ２６０は、データソース２５５からデータ（たとえば、データビット）を受信し、送信のためにデータを処理（たとえば、符号化および変調）する。送信データプロセッサ２６０は、異なるＭＣＳをサポートし得る。たとえば、送信データプロセッサ２６０は、複数の異なるコーディングレートのうちのいずれか１つで（たとえば、ＬＤＰＣ符号化を使用して）データを符号化し、限定はしないが、ＢＰＳＫ、ＱＰＳＫ、ＳＱＰＳＫ、１６ＱＡＭ、６４ＱＡＭ、６４ＡＰＳＫ、１２８ＡＰＳＫ、２５６ＱＡＭ、および２５６ＡＰＳＫを含む、複数の異なる変調方式のうちのいずれか１つを使用して、符号化されたデータを変調し得る。いくつかの態様では、コントローラ２７４は、（たとえば、アップリンクのチャネル状態に基づいて）どのＭＣＳを使用すべきかを指定するコマンドを送信データプロセッサ２６０に送り得、送信データプロセッサ２６０は、指定されたＭＣＳに従ってデータソース２５５からのデータを符号化および変調し得る。送信データプロセッサ２６０は、データに対して追加の処理を実行し得ることを諒解されたい。送信データプロセッサ２６０は、フレームビルダー２６２にデータシンボルを出力する。
【００２８】
[0055]  フレームビルダー２６２は、フレームを構成し、フレームのデータペイロードに受信されたデータシンボルを挿入する。フレームは、プリアンブルと、ヘッダと、データペイロードとを含み得る。プリアンブルは、以下でさらに説明されるように、アクセスポイント１１０および／または他のアクセス端末がフレームを受信するのを支援するために、ＳＴＦシーケンスとＣＥＦシーケンスとを含み得る。ヘッダは、データの長さ、ならびにデータを符号化および変調するために使用されるＭＣＳなど、ペイロード中のデータに関係する情報を含み得る。ペイロード中のデータは複数のブロックの間で分割され得、ここで、各ブロックは、以下でさらに説明されるように、データの一部分と、アクセスポイントおよび／または他のアクセス端末の位相追跡を支援するガードインターバル（ＧＩ）とを含み得る。フレームビルダー２６２は、送信プロセッサ２６４にフレームを出力する。
【００２９】
[0056]  送信プロセッサ２６４は、送信のためにフレームを処理する。たとえば、送信プロセッサ２６４は、ＯＦＤＭ送信モードおよびＳＣ送信モードなど、異なる送信モードをサポートし得る。この例では、コントローラ２７４は、どの送信モードを使用すべきかを指定するコマンドを送信プロセッサ２６４に送り得、送信プロセッサ２６４は、指定された送信モードに従って送信のためにフレームを処理し得る。送信プロセッサ２６４は、アップリンク信号の周波数成分がいくつかのスペクトル要件を満たすように、フレームにスペクトルマスクを適用し得る。
【００３０】
[0057]  トランシーバ２６６は、１つまたは複数のアンテナ２７０を介した送信のために送信プロセッサ２６４の出力を受信および処理（たとえば、アナログに変換、増幅、フィルタ処理、および周波数アップコンバート）する。たとえば、トランシーバ２６６は、送信プロセッサ２６４の出力を、６０ＧＨｚ範囲中の周波数を有する送信信号にアップコンバートし得る。
【００３１】
[0058]  いくつかの態様では、送信プロセッサ２６４は、多出力多入力（ＭＩＭＯ）送信をサポートし得る。これらの態様では、アクセス端末１２０は、複数のアンテナと複数のトランシーバ（たとえば、各アンテナについて１つ）とを含み得る。送信プロセッサ２６４は、着信データシンボルに対して空間処理を実行し、複数のアンテナに複数の送信シンボルストリームを与え得る。トランシーバは、アンテナを介した送信のための送信信号を生成するために、それぞれの送信シンボルストリームを受信および処理（たとえば、アナログに変換、増幅、フィルタ処理、および周波数アップコンバート）する。
【００３２】
[0059]  データを受信するために、アクセスポイント１１０は、受信プロセッサ２４２と受信データプロセッサ２４４とを備える。動作中、トランシーバ２２６は、（たとえば、アクセス端末１２０から）信号を受信し、受信された信号を処理（たとえば、周波数ダウンコンバート、増幅、フィルタ処理およびデジタルに変換）する。
【００３３】
[0060]  受信プロセッサ２４２は、トランシーバ２２６の出力を受信し、データシンボルを復元するために出力を処理する。たとえば、アクセスポイント１１０は、上記で説明されたように、フレーム中で（たとえば、アクセス端末１２０から）データを受信し得る。この例では、受信プロセッサ２４２は、フレームのプリアンブル中のＳＴＦシーケンスを使用してフレームの開始を検出し得る。受信機プロセッサ２４２はまた、自動利得制御（ＡＧＣ：automatic gain control）調整のためにＳＴＦを使用し得る。受信プロセッサ２４２はまた、（たとえば、フレームのプリアンブル中のＣＥシーケンスを使用して）チャネル推定（channel estimation）を実行し、チャネル推定に基づいて、受信された信号に対してチャネル等化（channel equalization）を実行し得る。
【００３４】
[0061]  さらに、受信機プロセッサ２４２は、以下でさらに説明されるように、ペイロード中のガードインターバル（ＧＩ）を使用して位相雑音（phase noise）を推定し、推定された位相雑音に基づいて、受信された信号中の位相雑音を低減し得る。位相雑音は、周波数変換のために使用される、アクセス端末１２０における局部発振器からの雑音、および／またはアクセスポイント１１０における局部発振器からの雑音に起因し得る。位相雑音はチャネルからの雑音をも含み得る。受信プロセッサ２４２はまた、フレームのヘッダから情報（たとえば、ＭＣＳ方式）を復元し、コントローラ２３４に情報を送り得る。チャネル等化および／または位相雑音低減を実行した後、受信プロセッサ２４２は、以下でさらに説明されるように、フレームからデータシンボルを復元し、さらなる処理のために受信データプロセッサ２４４に復元されたデータシンボルを出力し得る。
【００３５】
[0062]  受信データプロセッサ２４４は、受信プロセッサ２４２からデータシンボルを受信し、コントローラ２３４から対応するＭＳＣ方式の指示を受信する。受信データプロセッサ２４４は、示されたＭＳＣ方式に従ってデータを復元するために、データシンボルを復調および復号し、記憶および／またはさらなる処理のためにデータシンク２４６に復元されたデータ（たとえば、データビット）を出力する。
【００３６】
[0063]  上記で説明されたように、アクセス端末１２０は、ＯＦＤＭ送信モードまたはＳＣ送信モードを使用してデータを送信し得る。この場合、受信プロセッサ２４２は、選択された送信モードに従って受信信号を処理し得る。また、上記で説明されたように、送信プロセッサ２６４は、多出力多入力（ＭＩＭＯ）送信をサポートし得る。この場合、アクセスポイント１１０は、複数のアンテナと複数のトランシーバ（たとえば、各アンテナについて１つ）とを含み得る。各トランシーバは、それぞれのアンテナからの信号を受信および処理（たとえば、周波数ダウンコンバート、増幅、フィルタ処理、デジタルに変換）する。受信プロセッサ２４２は、データシンボルを復元するために、トランシーバの出力に対して空間処理を実行し得る。
【００３７】
[0064]  データを受信するために、アクセス端末１２０は、受信プロセッサ２８２と受信データプロセッサ２８４とを備える。動作中、トランシーバ２６６は、（たとえば、アクセスポイント１１０または別のアクセス端末から）信号を受信し、受信された信号を処理（たとえば、周波数ダウンコンバート、増幅、フィルタ処理およびデジタルに変換）する。
【００３８】
[0065]  受信プロセッサ２８２は、トランシーバ２６６の出力を受信し、データシンボルを復元するために出力を処理する。たとえば、アクセス端末１２０は、上記で説明されたように、フレーム中で（たとえば、アクセスポイント１１０または別のアクセス端末から）データを受信し得る。この例では、受信プロセッサ２８２は、フレームのプリアンブル中のＳＴＦシーケンスを使用してフレームの開始を検出し得る。受信プロセッサ２８２はまた、（たとえば、フレームのプリアンブル中のＣＥＦシーケンスを使用して）チャネル推定を実行し、チャネル推定に基づいて、受信された信号に対してチャネル等化を実行し得る。
【００３９】
[0066]  さらに、受信機プロセッサ２８２は、以下でさらに説明されるように、ペイロード中のガードインターバル（ＧＩ）を使用して位相雑音を推定し、推定された位相雑音に基づいて、受信された信号中の位相雑音を低減し得る。受信プロセッサ２８２はまた、フレームのヘッダから情報（たとえば、ＭＣＳ方式）を復元し、コントローラ２７４に情報を送り得る。チャネル等化および／または位相雑音低減を実行した後、受信プロセッサ２８２は、以下でさらに説明されるように、フレームからデータシンボルを復元し、さらなる処理のために受信データプロセッサ２８４に復元されたデータシンボルを出力し得る。
【００４０】
[0067]  受信データプロセッサ２８４は、受信プロセッサ２８２からデータシンボルを受信し、コントローラ２７４から対応するＭＳＣ方式の指示を受信する。受信機データプロセッサ２８４は、示されたＭＳＣ方式に従ってデータを復元するために、データシンボルを復調および復号し、記憶および／またはさらなる処理のためにデータシンク２８６に復元されたデータ（たとえば、データビット）を出力する。
【００４１】
[0068]  上記で説明されたように、アクセスポイント１１０または別のアクセス端末は、ＯＦＤＭ送信モードまたはＳＣ送信モードを使用してデータを送信し得る。この場合、受信プロセッサ２８２は、選択された送信モードに従って受信信号を処理し得る。また、上記で説明されたように、送信プロセッサ２２４は、多出力多入力（ＭＩＭＯ）送信をサポートし得る。この場合、アクセス端末１２０は、複数のアンテナと複数のトランシーバ（たとえば、各アンテナについて１つ）とを含み得る。各トランシーバは、それぞれのアンテナからの信号を受信および処理（たとえば、周波数ダウンコンバート、増幅、フィルタ処理、デジタルに変換）する。受信プロセッサ２８２は、データシンボルを復元するために、トランシーバの出力に対して空間処理を実行し得る。
【００４２】
[0069]  図２に示されているように、アクセスポイント１１０は、コントローラ２３４に結合されたメモリ２３６をも備える。メモリ２３６は、コントローラ２３４によって実行されたとき、本明細書で説明される動作のうちの１つまたは複数をコントローラ２３４に実行させる命令を記憶し得る。同様に、アクセス端末１２０は、コントローラ２７４に結合されたメモリ２７６をも備える。メモリ２７６は、コントローラ２７４によって実行されたとき、本明細書で説明される動作のうちの１つまたは複数をコントローラ２７４に実行させる命令を記憶し得る。
【００４３】
[0070]  図３Ａ〜図３Ｄは、本開示のいくつかの態様による、シングルチャネルおよび広帯域シングルキャリア（ＷＢ−ＳＣ）送信モードを介したデータの送信のための例示的なフレーム３００、３１０、３２０、および３３０を示す。これらのフレーム３００、３１０、３２０、および３３０は、参照により本明細書に組み込まれる、２０１５年４月１４日に出願された、Frame Format for OFDM, SC WB, Aggregated SC, and Corresponding MIMO signalsと題する仮出願第６２／１４７，４７９号（以下、「‘４７９仮出願」）で詳細に説明されている。
【００４４】
[0071]  フレーム３００、３１０、３２０、および３３０の各々は、レガシーショートトレーニングフィールド（Ｌ−ＳＴＦ：legacy short training field）シーケンスと、レガシーチャネル推定フィールド（ＣＥＦ：channel estimation field）シーケンスと、レガシーヘッダ（Ｌ−ヘッダ）とを備える。後方互換性（backward compatibility）の目的で、Ｌ−ＳＴＦシーケンス、Ｌ−ＣＥＦシーケンス、およびＬ−ヘッダは、ＩＥＥＥ８０２．１１ａｄなど、レガシープロトコル（legacy protocol）の下で動作する受信デバイスによって復号され得る。提案された新しい８０２．１１ａｙプロトコルの下での新しいフレーム３００に関して、レガシーデバイス（legacy device）は、送信衝突回避の目的で新しいフレームの長さを決定するためにネットワーク割振りベクトル（ＮＡＶ：network allocation vector）を計算するために、新しいフレーム３００の８０２．１１ａｄプリアンブル（Ｌ−ＳＴＦおよびＬ−ＣＥＦ）とヘッダ部分（Ｌ−ヘッダ）とを復号し得る。
【００４５】
[0072]  ‘４７９仮出願で説明されるように、Ｌ−ヘッダは、ＩＥＥＥ８０２．１１ａｙなど、提案された新しいプロトコルに従って、フレームに関係する追加情報を与えるようにわずかに変更され得る。要約すれば、そのような変更は、次世代６０（ＮＧ６０ペイロード）としても知られる、提案された新しいプロトコルＩＥＥＥ８０２．１１ａｙによるデータペイロードの送信のための変調およびコーディング方式（ＭＣＳ）を示すためのいくつかのビット（たとえば、予約済みビット４４〜４６）を含み得る。Ｌ−ヘッダの他の変更は、以下でより詳細に説明されるように、フレーム３００、３１０、３２０、および３３０の、Ｌ−ＳＴＦ、Ｌ−ＣＥＦ、Ｌ−ヘッダ、および拡張指向性マルチギガビット（ＥＤＭＧ：Enhanced Directional Multi-Gigabit）ヘッダ（ＥＤＭＧヘッダ）部分と、残りの部分（１１ａｙ部分）との間の送信電力差を示すように、他のビット（たとえば、データペイロード長の最下位ビット（ＬＳＢ：least significant bits））を設定することを含み得る。Ｌ−ヘッダの追加変更は、ボンデッドチャネルの数と、ボンデッドチャネルの順序または識別情報と（たとえば、チャネル１−２、チャネル１−２−３、チャネル１−２−３−４、チャネル２−３、チャネル２−３−４、およびチャネル３−４）を示すように、いくつかのビットを設定することを含み得る。
【００４６】
[0073]  新しいフレーム３００、３１０、３２０、および３３０の各々は、付加データをもつＥＤＭＧヘッダをさらに備える。ＥＤＭＧヘッダおよび付加データは、‘４７９仮出願で詳細に説明された。ＥＤＭＧヘッダは、新しいフレーム３００、３１０、３２０、および３３０に関する情報を与える。さらに、データペイロードの一部または全体がＥＤＭＧヘッダに付加され得る。
【００４７】
[0074]  要約すれば、ＥＤＭＧヘッダは、（１）フレームのデータペイロード長と、（２）フレームのＥＤＭＧヘッダに付加されたＬＤＰＣデータブロックの数と、（３）フレーム中で送信される空間ストリーム数と、（４）フレーム中のボンデッドチャネルの数と、（５）ボンデッドチャネルの第１の（最低周波数）チャネルを示すチャネルオフセットと、（６）１１ａｙ（ＮＧ６０）データペイロード中のデータのために使用されるＭＣＳと、（７）１１ａｙ（ＮＧ６０）データペイロード中の各データ（ＦＦＴ）ブロック中のガードインターバル（ＧＩ）の長さ（ショート（short）、ノーマル（normal）、またはロング（long））と、（８）１１ａｙ（ＮＧ６０）データペイロード中のデータ（ＦＦＴ）ブロックの長さ（ショートまたはロング）と、（９）１１ａｙ（ＮＧ６０）データペイロード中のデータ（ＦＦＴ）ブロック中の（１つまたは複数の）符号化された（ＬＤＰＣ）ブロックの長さ（ショートまたはロング）と、（１０）ＭＩＭＯのためのロング８０２．１１ａｙ  ＣＥＦシーケンスをシグナリングするためのロングＣＥＦフィールドと、（１１）複数のボンデッドチャネルを介して送信されるＷＢ−ＳＣ送信モードフレームのための、Ｌ−ＳＴＦ、Ｌ−ＣＥＦ、Ｌ−ヘッダ、および付加データをもつＥＤＭＧヘッダと、８０２．１１ａｙ部分（ＳＴＦ、すなわち、ＡＧＣ＋初期タイミング、ＣＥＦ、データペイロード）との間の電力差を示すための電力差フィールド（power difference field）と、（１２）予約済みビット（reserved bits）と、（１３）プロプライエタリビット（proprietary bits）と、（１４）ＣＲＣフィールドとを含む。
【００４８】
[0075]  ‘４７９仮出願で詳細に説明されるように、新しいフレーム３００、３１０、３２０、および３３０の各々は、３つのセクション、すなわち、８０２．１１ａｙ  ＳＴＦ、８０２．１１ａｙ  ＣＥＦ、８０２．１１ａｙ（ＮＧ６０）データペイロードを有し得る１１ａｙ部分と、随意のビームトレーニングシーケンス（beam training sequence）（ＴＲＮ）とを含む。８０２．１１ａｙ  ＳＴＦは、（レガシーＳＴＦの場合のように）ゴレイ符号（Golay codes）上で構築され得る。この期間中に、受信機は、ＡＧＣ、タイミングおよび周波数捕捉（frequency acquisition）を完了することが予想される。８０２．１１ａｙ  ＳＴＦは、８０２．１１ａｄと同じ順序でＧａおよびＧｂを使用し得る。随意に、ゴレイ符号は、（８０２．１１ａｄの場合のように）１２８、あるいは２５６または５１２であり得る。８０２．１１ａｙ  ＣＥＦシーケンスはまた、８０２．１１ａｄのＬ−ＣＥＦシーケンスの同じゴレイ構成を使用して行われ、１２８個のシーケンスを、ダブルチャネルの場合は２５６個のシーケンスに、トリプルおよびクワッドチャネルの場合は５１２個のシーケンスに、ならびに５〜８チャネルの場合は１０２４個に置き換えるにすぎないことがある。
【００４９】
[0076]  以下でより詳細に説明されるように、８０２．１１ａｙ（ＮＧ６０）データペイロードは、以下の変更とともに、８０２．１１ａｄと同様のＭＳＣを使用して変調および符号化され得る：（１）ＢＰＳＫ、ＱＰＳＫおよび１６ＱＡＭに加えて、より高い変調、すなわち、６４ＱＡＭ、６４ＡＰＳＫ、１２８ＡＰＳＫ、２５６ＱＡＭ、および２５６ＡＰＳＫが定義される（使用され得る）、（２）データシンボル（ＦＦＴ）ブロックが、（８０２．１１ａｄの場合のように）５１２、あるいは１０２４、１５３６、または２０４８であり得る、（３）ＧＩが、同じく、８０２．１１ａｄの場合のようにゴレイ符号であり、より多くの長さオプション、すなわち、（８０２．１１ａｄの場合のように）６４、３２、９６、１２８、１９２、２５６、３８４、または５１２がサポートされ得る。
【００５０】
[0077]  ビームトレーニングシーケンス（ＴＲＮ）は、すべての場合において随意である。８０２．１１ａｙセクションが使用されない場合、ＴＲＮは８０２．１１ａｄの場合と同じであることに留意されたい。８０２．１１ａｙセクションが使用されるとき、それは８０２．１１ａｙ  ＴＲＮオプションを使用する。８０２．１１ａｙ  ＴＲＮフィールドは、８０２．１１ａｄと同様の方法で構築され、ゴレイ符号を２倍または４倍に増加させる（たとえば、１２８の代わりに、２５６または５１２のゴレイを使用する）ためのオプションがある。
【００５１】
[0078]  ‘４７９仮出願で詳細に説明されるように、例示的なフレーム３００（図３Ａ）は、シングルチャネルの場合の８０２．１１ａｙの拡張である。フレーム３００は、レガシープリアンブル（legacy preamble）（Ｌ−ＳＴＦおよびＬ−ＣＥＦ）と、レガシーヘッダ（Ｌ−ヘッダ）と、新しい８０２．１１ａｙヘッダ（ＥＤＭＧヘッダ）とを備える。フレーム３００は、８０２．１１ａｙ（ＥＤＭＧ  ＳＴＦ）およびデータペイロードの送信を用いて８０２．１１ａｙプロトコルの新しいＭＣＳを可能にする。シングルチャネルの場合、チャネルを再推定する必要がない（すなわち、レガシーＬ−ＣＥＦが使用される）ので、８０２．１１ａｙ  ＣＥＦ（ＥＤＭＧ  ＣＥＦ）は存在しないことに留意されたい。受信機が、８０２．１１ａｙ変調のより高いコンスタレーションのために受信機チェーンセットアップを改善し得るので、ＥＤＭＧ  ＳＴＦは存在する。
【００５２】
[0079]  ‘４７９仮出願で詳細に説明されるように、例示的なフレーム３１０（図３Ｂ）は、２チャネルボンディングの場合の８０２．１１ａｙの拡張である。フレーム３１０は、レガシープリアンブル（Ｌ−ＳＴＦおよびＬ−ＣＥＦ）と、Ｌ−ヘッダと、ＥＤＭＧヘッダとを送信するための第１の（レガシー）チャネル（たとえば、ＣＨ１）を備える。フレーム３１０は、レガシープリアンブル（Ｌ−ＳＴＦおよびＬ−ＣＥＦ）と、Ｌ−ヘッダと、ＥＤＭＧヘッダとを送信するための第２の（レガシー）チャネル（たとえば、ＣＨ２）をさらに備える。第１のチャネル（ＣＨ１）のＥＤＭＧヘッダの後に来る付加データは、第２のチャネル（ＣＨ２）のＥＤＭＧヘッダの後に来る付加データとは異なり得ることに留意されたい。ＥＤＭＧヘッダの情報フィールドは、前に説明されたＥＤＭＧヘッダフォーマットに従って構成され得る。フレーム３１０の８０２．１１ａｙセクション、すなわち、ＥＤＭＧ  ＳＴＦ、ＥＤＭＧ  ＣＥＦ、データペイロード、および随意のＴＲＮは、第１および第２のチャネルの各々の少なくとも一部分を備えるボンデッドチャネル（たとえば、ＣＨ１＋ＣＨ２）を介して送信される。前に説明されたように、Ｌ−ＳＴＦ  ＡＮＤ  Ｌ−ＣＥＦ、Ｌ−ヘッダ、およびＥＤＭＧヘッダの送信は、レガシー８０２．１１ａｄにおいて指定されているＭＣＳを使用し、８０２．１１ａｙ部分（ＥＭＤＧ  ＳＴＦ、ＥＤＭＧ  ＣＥＦ、データペイロード）の送信は、８０２．１１ａｙにおいて指定されているＭＣＳを使用し、それらの両方は異なり得る。
【００５３】
[0080]  ‘４７９仮出願で詳細に説明されるように、例示的なフレーム３２０（図３Ｃ）は、３チャネルボンディングの場合（たとえば、ＣＨ１＋ＣＨ２＋ＣＨ３）の８０２．１１ａｙフレームの拡張である。例示的なフレーム３３０（図３Ｄ）は、４チャネルボンディングの場合（たとえば、ＣＨ１＋ＣＨ２＋ＣＨ３＋ＣＨ４）の８０２．１１ａｙフレームの拡張である。上記の図３Ａ〜図３Ｄから、本方法は、任意の数の連続チャネルに拡張可能であることが明らかである。
【００５４】
[0081]  図３Ｅは、本開示の別の態様による、例示的なフレーム３１０、３２０、および３３０のうちのいずれかのための例示的な送信電力プロファイルを示す。‘４７９仮出願で詳細に説明されるように、アグリゲートチャネル（aggregate channels）のＬ−ＳＴＦ、Ｌ−ＣＥＦ、Ｌ−ヘッダ、および（付加データをもつ）ＥＤＭＧヘッダのための送信電力は、ピーク対平均電力比（ＰＡＰＲ：peak to average power ratio）を低減するためにバックオフされ、１１ａｙセクション（ＥＤＭＧ  ＳＴＦ、ＥＤＭＧ  ＣＥＦ、およびデータペイロード）のための送信電力は、受信機におけるより良い検出のために増加させられる。上記で説明されたように、電力差は、ＥＤＭＧヘッダならびに変更されたＬ−ヘッダセクションにおいて示される。
【００５５】
[0082]  図４Ａ〜図４Ｂは、本開示のいくつかの態様による、新しいフレーム３００、３１０、３２０、および３３０のデータペイロード中で送信される（高速フーリエ変換（ＦＦＴ：Fast Fourier Transform）ブロックとも呼ばれる）例示的なデータシンボルブロックのパラメータを示すテーブルを示す。テーブルの列は、左から右に、ボンディングされたチャネルの数、シンボルレート、データ（ＦＦＴ）ブロックのサイズ、ロングガードインターバル（ＧＩ）の長さ（およびテーブル４Ｂ中の対応する最大遅延スプレッド）、ノーマルガードインターバル（ＧＩ）の長さ（およびテーブル４Ｂ中の対応する最大遅延スプレッド）、およびショートガードインターバル（ＧＩ）の長さ（およびテーブル４Ｂ中の対応する最大遅延スプレッド）として識別される。
【００５６】
[0083]  テーブルの第１の行は、前に説明されたフレーム３００など、シングルチャネルフレームのためのデータペイロードに関連する、シンボルレート、データ（ＦＦＴ）ブロックサイズ、ロングＧＩ、ノーマルＧＩ、およびショートＧＩについての詳細を与える。すなわち、シングルチャネルＷＢ−ＳＣフレーム３００の場合、シンボルレートは１．７６ギガシンボル毎秒（Ｇｓｐｓ）であり、データ（ＦＦＴ）ブロックサイズは５１２個のシンボルであり、ロングＧＩ長は１２８個のシンボルであり（７２ナノ秒（ｎｓ）の遅延スプレッド（delay spread））、ノーマルＧＩ長は６４個のシンボルであり（３６ｎｓの遅延スプレッド）、ショートＧＩ長は３２個のシンボルである（１８ｎｓの遅延スプレッド）。したがって、ＧＩ長が１２８である場合、各データ（ＦＦＴ）ブロック中のデータシンボルの数は３８４であり、ＧＩ長が６４である場合、各データ（ＦＦＴ）ブロック中のデータシンボルの数は４４８であり、ＧＩ長が３２である場合、各データ（ＦＦＴ）ブロック中のデータシンボルの数は４８０である。前に説明されたように、ＧＩは、送信デバイスと受信デバイスの両方に知られているゴレイ符号または他の符号に基づき得る。シングルチャネルのためのシンボルレート、データ（ＦＦＴ）ブロックサイズ、およびノーマルＧＩ長は、８０２．１１ａｄにおけるチャネルのために使用される。シングルチャネルのためのロングおよびショートＧＩ長は、フレーム３００など、提案されたプロトコル８０２．１１ａｙデータフレーム中でのために使用される（８０２．１１ａｄにおいて利用可能でない）。
【００５７】
[0084]  テーブルの第２の行は、前に説明されたフレーム３１０など、２ボンデッドチャネルのためのデータペイロードに関連する、シンボルレート、データ（ＦＦＴ）ブロックサイズ、ロングＧＩ、ノーマルＧＩ、およびショートＧＩについての詳細を与える。すなわち、２ボンデッドチャネルＷＢ−ＳＣフレーム３１０の場合、シンボルレートは２＊１．７６Ｇｓｐｓであり、データ（ＦＦＴ）ブロックサイズは１０２４個のシンボルであり、ロングＧＩ長は２５６個のシンボルであり（７２ｎｓの遅延スプレッド）、ノーマルＧＩ長は１２８個のシンボルであり（３６ｎｓの遅延スプレッド）、ショートＧＩ長は６４個のシンボルである（１８ｎｓの遅延スプレッド）。したがって、各データ（ＦＦＴ）ブロック中のデータシンボルの数は、ＧＩ長が２５６である場合に７６８であり、ＧＩ長が１２８である場合に８９６であり、ＧＩ長が６４である場合に９６０である。シンボルレート、データ（ＦＦＴ）サイズ、ならびにロング、ノーマル、およびショートＧＩ長は、ボンデッドチャネルの数の関数（function）である（たとえば、ボンデッドチャネルの数とともに増加する）ことに留意されたい。
【００５８】
[0085]  テーブルの第３の行は、前に説明されたフレーム３２０など、３ボンデッドチャネルのためのデータペイロードに関連する、シンボルレート、データ（ＦＦＴ）ブロックサイズ、ロングＧＩ、ノーマルＧＩ、およびショートＧＩについての詳細を与える。すなわち、３ボンデッドチャネルＷＢ−ＳＣフレーム３２０の場合、シンボルレートは３＊１．７６Ｇｓｐｓであり、データ（ＦＦＴ）ブロックサイズは１５３６個のシンボルであり、ロングＧＩ長は３８４であり（７２ｎｓ遅延スプレッド）、ノーマルＧＩ長は１９２個のシンボルであり（３６ｎｓ遅延スプレッド）、ショートＧＩ長は９６個のシンボルである（１８ｎｓ遅延スプレッド）。したがって、各データ（ＦＦＴ）ブロック中のデータシンボルの数は、ＧＩ長が３８４である場合に１１５２であり、ＧＩ長が１９２である場合に１３４４であり、ＧＩ長が９６である場合に１４４０である。この場合も、テーブルによって示されているように、シンボルレート、データ（ＦＦＴ）サイズ、ならびにロング、ノーマル、およびショートＧＩ長は、ボンデッドチャネルの数の関数である（たとえば、ボンデッドチャネルの数とともに増加する）。
【００５９】
[0086]  テーブルの第４の行は、前に説明されたフレーム３３０など、４ボンデッドチャネルのための１１ａｙ（ＮＧ６０）データペイロードに関連する、シンボルレート、データ（ＦＦＴ）ブロックサイズ、ロングＧＩ、ノーマルＧＩ、およびショートＧＩについての詳細を与える。すなわち、４ボンデッドチャネルＷＢ−ＳＣフレーム３２３０の場合、シンボルレートは４＊１．７６Ｇｓｐｓであり、データ（ＦＦＴ）ブロックサイズは２０４８個のシンボルであり、ロングＧＩ長は５１２個のシンボルであり（７２ｎｓの遅延スプレッド）、ノーマルＧＩ長は２５６個のシンボルであり（３６ｎｓの遅延スプレッド）、ショートＧＩ長は１２８個のシンボルである（１８ｎｓの遅延スプレッド）。したがって、各データ（ＦＦＴ）ブロック中のデータシンボルの数は、ＧＩ長が５１２である場合に１５３６であり、ＧＩ長が２５６である場合に１７９２であり、ＧＩ長が１２８である場合に１９２０である。この場合も、テーブルによって示されているように、シンボルレート、データ（ＦＦＴ）サイズ、ならびにロング、ノーマル、およびショートＧＩ長は、ボンデッドチャネルの数に関数である（たとえば、ボンデッドチャネルの数に比例する）。
【００６０】
[0087]  図４Ｃは、本開示の別の態様による、例示的なデータ（ＦＦＴ）ブロック４００の図を示す。この例では、ＧＩ（斜線のエリア）は、データ（ＦＦＴ）ブロック４００の最初に置かれる。随意に、暗いエリアによって示されている１つまたは複数のパイロット信号（pilot signal）は、データ（ＦＦＴ）ブロック４００内のデータシンボルの部分（明るいエリア）の間に点在させられ得る。各パイロット信号は、送信デバイスと受信デバイスの両方に知られている１つまたは複数のシンボルを含み得る。別のオプションとして、ＧＩシンボルは、データ（ＦＦＴ）ブロックの最初に連続的に配置されているシンボルの第１の部分と、データシンボルの部分の間に点在させられるパイロット信号として分散されているシンボルの第２の部分とにスプリットされ得る。
【００６１】
[0088]  図５Ａ〜図５Ｂは、本開示のいくつかの態様による、広帯域シングルキャリア（ＷＢ−ＳＣ）送信モード（ならびに本明細書でさらに説明されるアグリゲートＳＣ送信モード）を介してデータペイロードを送信するための例示的な変調コーディング方式（ＭＣＳ）のパラメータを示すテーブルを示す。図５Ａ中のテーブルの主要な列は、ＭＣＳインデックスと、変調と、シンボルごとのコード化ビットの数（ＮCBPS）と、データ（ＦＦＴ）ブロックの繰返しと、（たとえば、低密度パリティチェック（ＬＤＰＣ）を使用する）データの符号化に関連するコードレート（code rate）と、ロング、ノーマル、およびショートＧＩの場合のデータペイロードの送信に関連するデータレートとを含む。
【００６２】
[0089]  データレート列の下に、シングルチャネルフレーム３００（１Ｃｈ）、２ボンデッドチャネルフレーム３１０（２Ｃｈ）、３ボンデッドチャネルフレーム３２０（３Ｃｈ）、および４ボンデッドチャネルフレーム３３０（３Ｃｈ）に関係する１次サブ列がある。１次サブ列の各々の下に、３つの２次サブ列、すなわち、図４Ａ〜図４Ｂのテーブルに関して詳細に説明されたような、ロングＧＩに関係する左２次サブ列、ノーマルＧＩに関係する中央２次サブ列、およびショートＧＩに関係する右２次サブ列がある。
【００６３】
[0090]  図５Ａ中のテーブルに示されているように、データペイロードのための３２個のＭＣＳがある。ＭＣＳ１〜９およびＭＣＳ１１〜１３は、それぞれ、８０２．１１ａｄにおいて使用されるのと同じＭＣＳ１〜１２である。すなわち、ＭＣＳ１〜９および１１〜１３は、それぞれ、（１）１／２のコードレートをもつπ／２−ＢＰＳＫ（繰り返されるデータ（ＦＦＴ）ブロック）、（２）１／２のコードレートをもつπ／２−ＢＰＳＫ（繰り返されないデータ（ＦＦＴ）ブロック）、（３）５／８のコードレートをもつπ／２−ＢＰＳＫ、（４）３／４のコードレートをもつπ／２−ＢＰＳＫ、（５）１３／１６のコードレートをもつπ／２−ＢＰＳＫ、（６）１／２のコードレートをもつπ／２−ＱＰＳＫ、（７）５／８のコードレートをもつπ／２−ＱＰＳＫ、（８）３／４のコードレートをもつπ／２−ＱＰＳＫ、（９）１３／１６のコードレートをもつπ／２−ＱＰＳＫ、（１１）１／２のコードレートをもつπ／２−１６ＱＡＭ、（１２）５／８のコードレートをもつπ／２−１６ＱＡＭ、および（１３）３／４のコードレートをもつπ／２−１６ＱＡＭを含む。
【００６４】
[0091]  新しい提案されたプロトコル（８０２．１１ａｙ（ＮＧ６０））データペイロードは、増加されたデータスループットを与えることが可能である、８０２．１１ａｄのために利用可能なＭＣＳ以外の追加のＭＣＳを含む。追加のＭＣＳは、以下のようなＭＣＳ１０および１４〜３２である：（１０）７／８のコードレートをもつπ／２−ＱＰＳＫ、（１４）１３／１６のコードレートをもつπ／２−１６ＱＡＭ、（１５）７／８のコードレートをもつπ／２−１６ＱＡＭ、（１６）５／８のコードレートをもつπ／２−６４ＱＡＭ、（１７）３／４のコードレートをもつπ／２−６４ＱＡＭ、（１８）１３／１６のコードレートをもつπ／２−６４ＱＡＭ、（１９）７／８のコードレートをもつπ／２−６４ＱＡＭ、（２０）５／８のコードレートをもつπ／２−６４ＡＰＳＫ、（２１）３／４のコードレートをもつπ／２−６４ＡＰＳＫ、（２２）１３／１６のコードレートをもつπ／２−６４ＡＰＳＫ、（２３）７／８のコードレートをもつπ／２−６４ＡＰＳＫ、（２４）３／４のコードレートをもつπ／２−１２８ＡＰＳＫ、（２５）１３／１６のコードレートをもつπ／２−１２８ＡＰＳＫ、（２６）７／８のコードレートをもつπ／２−１２８ＡＰＳＫ、（２７）３／４のコードレートをもつπ／２−２５６ＱＡＭ、（２８）１３／１６のコードレートをもつπ／２−２５６ＱＡＭ、（２９）７／８のコードレートをもつπ／２−２５６ＱＡＭ、（３０）３／４のコードレートをもつπ／２−２５６ＡＰＳＫ、（３１）１３／１６のコードレートをもつπ／２−２５６ＡＰＳＫ、および（３２）７／８のコードレートをもつπ／２−２５６ＡＰＳＫ。
【００６５】
[0092]  図５Ａに示されているテーブルの残りの部分は、対応するＭＣＳに関する情報を与える。たとえば、変調ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫのためのＮCBPSは、それぞれ、１、２、４、６、６、７、８、および８である。データ（ＦＦＴ）ブロックは、ＭＣＳ−１の場合、２回繰り返されるが、残りのＭＣＳ−２〜ＭＣＳ−３２の場合、繰り返されない。テーブルの残りからわかるように、データレートは、ＭＣＳインデックスの増加とともに、ボンデッドチャネルの数とともに、およびロングＧＩからショートＧＩに向かって増加する。
【００６６】
[0093]  図６は、本開示の別の態様による、６４直交振幅変調（６４ＱＡＭ）に従って、符号化されたビットをデータシンボルに（またはその逆に）変換するための例示的なコンスタレーション図を示す。図でわかるように、６つの符号化されたビットが、６４ＱＡＭ変調に従って単一のシンボル（コンスタレーション）にマッピングされ得る。符号化されたビットの、シンボル（コンスタレーション）への特定のマッピングは一例にすぎない（たとえば、０１１  １０１がコンスタレーション（−３Ｉ，５Ｑ）にマッピングする）。６つの符号化されたビットは、他の様式で６４個のコンスタレーションにマッピングされ得ることを理解されたい。また、ＱＡＭ変調は、符号化されたビットを２次元（Ｉ，Ｑ）デカルト座標コンスタレーションにマッピングすることに留意されたい。図５のテーブルに示されているπ／２−６４ＱＡＭは、コンスタレーションがπ／２の位相だけ回転されることを示す。
【００６７】
[0094]  図７Ａ〜図７Ｂは、本開示の別の態様による、６４振幅位相シフトキーイング（ＡＰＳＫ１）変調の第１のバージョンに従ってデータビットをデータシンボルに（またはその逆に）変換するためのコンスタレーション図および位相定義テーブル（phase definition table）を示す。６４ＡＰＳＫ１のためのコンスタレーション図は、６つの符号化されたビットを特定のシンボル（コンスタレーション）にマッピングするために極座標を使用する。符号化されたビットの、シンボル（コンスタレーション）への特定のマッピングは一例にすぎない（たとえば、０１１  １０１がコンスタレーション（Ｒ２，２３π／１２）にマッピングする）。６つの符号化されたビットは、他の様式で６４個のコンスタレーションにマッピングされ得ることを理解されたい。図５のテーブルに示されているπ／２−６４ＡＰＳＫは、コンスタレーションがπ／２の位相だけ回転されることを示す。
【００６８】
[0095]  図７Ｂに示されている６４ＡＳＰＳＫ１のための位相定義テーブル（phase definitions table）は、６つの符号化されたビットを６４個のシンボル（コンスタレーション）にマッピングするために、半径、位相、および半径比に関する情報を与える。ラベル列は、２つのＬＳＢ変数ｐおよびｑをもつ６つの符号化されたビットを示す。符号化されたビットの４つのＭＳＢは、特定の半径にマッピングする。たとえば、１００１である４つのＭＳＢは、第２の列中の対応するエントリによって示されているように、半径Ｒ３を有するコンスタレーションにマッピングする。４つの右列は、ｐとｑの対応する組合せのための位相を与える。たとえば、符号化されたワード１００１０１は、第２および第４の列中の対応するエントリによって示されているように、Ｒ３および位相３１π／２０にマッピングされる。６４ＡＳＰＳＫ１のための半径比は、Ｒ２／Ｒ１＝２．４、Ｒ３／Ｒ１＝４．３、およびＲ４／Ｒ１＝７．０である。
【００６９】
[0096]  図８Ａ〜図８Ｂは、本開示の別の態様による、６４振幅位相シフトキーイング（ＡＰＳＫ２）変調の第２のバージョンに従ってデータビットをデータシンボルに（またはその逆に）変換するためのコンスタレーション図および位相定義テーブルを示す。６４ＡＰＳＫ２のためのコンスタレーション図は、６つの符号化されたビットを特定のシンボル（コンスタレーション）にマッピングすることの別の様式にすぎない。コンスタレーション図および位相定義は、図７Ａ〜図７Ｂのコンスタレーション図および位相定義と同様である。６４ＡＳＰＳＫ２のための半径比は、Ｒ２／Ｒ１＝２．２、Ｒ３／Ｒ１＝３．６、およびＲ４／Ｒ１＝５．０である。同様に、図５のテーブルに示されているこのバージョンのためのπ／２−６４ＡＰＳＫは、コンスタレーションがπ／２の位相だけ回転されることを示す。
【００７０】
[0097]  図９Ａ〜図９Ｂは、本開示の別の態様による、１２８振幅位相シフトキーイング（ＡＰＳＫ：amplitude phase-shift keying）変調に従ってデータビットをデータシンボルに（またはその逆に）変換するためのコンスタレーション図および位相定義テーブルを示す。１２８ＡＰＳＫのためのコンスタレーション図は、７つの符号化されたビットを特定のシンボル（コンスタレーション）にマッピングするために極座標を使用する。符号化されたビットの、シンボル（コンスタレーション）への特定のマッピングは一例にすぎない（たとえば、１０１１１０１がコンスタレーション（Ｒ３，１２０１π／７２０）にマッピングする）。６（７）つの符号化されたビットは、他の様式で１２８個のコンスタレーションにマッピングされ得ることを理解されたい。図５のテーブルに示されているπ／２−１２８ＡＰＳＫは、コンスタレーションがπ／２の位相だけ回転されることを示す。
【００７１】
[0098]  図９Ｂに示されている１２８ＡＰＳＫのための位相定義テーブルは、７つの符号化されたビットを１２８個のシンボル（コンスタレーション）にマッピングするために、半径、位相、および半径比に関する情報を与える。ラベル列は、２つのＭＳＢ変数ｑおよびｐをもつ７つの符号化されたビットを示す。符号化されたビットの５つのＬＳＢは、特定の半径にマッピングする。たとえば、１１１０１である５つのＬＳＢは、第２の列中の対応するエントリによって示されているように、半径Ｒ３を有するコンスタレーションにマッピングする。４つの右列は、ｐとｑの対応する組合せのための位相を与える。たとえば、符号化されたワード１００１０１は、第２および第４の列中の対応するエントリによって示されているように、Ｒ３および位相１２０１π／７２０にマッピングされる。１２８ＡＳＰＳＫのための半径比は、Ｒ２／Ｒ１＝１．７１５、Ｒ３／Ｒ１＝２．１１８、Ｒ４／Ｒ１＝２．６８１、Ｒ５／Ｒ１＝２．７５、およびＲ６／Ｒ１＝３．２５である。
【００７２】
[0099]  図１０は、本開示の別の態様による、２５６直交振幅変調（２５６ＱＡＭ）に従ってデータビットをデータシンボルに（またはその逆に）変換するためのコンスタレーション図を示す。図でわかるように、８つの符号化されたビットが、２５６ＱＡＭ変調に従って単一のシンボル（コンスタレーション）にマッピングされる。符号化されたビットの、シンボル（コンスタレーション）への特定のマッピングは一例にすぎない。８つの符号化されたビットは、他の様式で２５６個のコンスタレーションにマッピングされ得ることを理解されたい。また、ＱＡＭ変調は、符号化されたビットを２次元（Ｉ，Ｑ）デカルト座標コンスタレーションにマッピングすることに留意されたい。図５のテーブルに示されているπ／２−２５６ＱＡＭは、コンスタレーションがπ／２の位相だけ回転されることを示す。
【００７３】
[00100]  図１１Ａ〜図１１Ｃは、本開示の別の態様による、２５６振幅位相シフトキーイング（２５６ＡＰＳＫ）変調に従ってデータビットをデータシンボルに（またはその逆に）変換するためのコンスタレーション図、ラベル定義テーブル、および位相定義テーブルを示す。２５６ＡＰＳＫのためのコンスタレーション図は、８つの符号化されたビットを特定のシンボル（コンスタレーション）にマッピングするために極座標を使用する。符号化されたビットの、シンボル（コンスタレーション）への特定のマッピングは一例にすぎない（たとえば、０１１  １０１０１がコンスタレーション（Ｒ３，１３π／３２）にマッピングする）。８つの符号化されたビットは、他の様式で２５６個のコンスタレーションにマッピングされ得ることを理解されたい。図５のテーブルに示されているπ／２−２５６ＡＰＳＫは、コンスタレーションがπ／２の位相だけ回転されることを示す。
【００７４】
[00101]  図１１Ｂに示されているラベル定義テーブルは、８つの符号化されたビットの３つのＭＳＢの、２５６ＡＰＳＫの対応するコンスタレーション（constellation）に関連する半径へのマッピングを与える。たとえば、符号化されたビットのＭＳＢ０１１は、半径列中の対応するエントリによって示されているように、Ｒ３にマッピングされる。図１１Ｃに示されている２５６ＡＰＳＫのための位相定義テーブルは、符号化されたビットの５つのＬＳＢを対応するコンスタレーションの位相にマッピングするために、位相および半径比に関する情報を与える。たとえば、１０１０１である５つのＬＳＢは、第３の列中の対応するエントリによって示されているように、位相１３π／３２をマッピングする。２５６ＡＳＰＳＫのための半径比は、Ｒ２／Ｒ１＝１．７９４、Ｒ３／Ｒ１＝２．４０９、Ｒ４／Ｒ１＝２．９８６、Ｒ５／Ｒ１＝３．５７９、Ｒ６／Ｒ１＝４．０４５、Ｒ７／Ｒ１＝４．６、およびＲ８／Ｒ１＝５．３である。
【００７５】
[00102]  図１２Ａは、本開示の別の態様による、本明細書で説明される様々なフレームに適用されるスペクトルマスクのための例示的なパラメータのテーブルを示す。テーブルは、シングルチャネル、２ボンデッドチャネル、３ボンデッドチャネル、および４ボンデッドチャネルのためのＷＢ−ＳＣフレーム、アグリゲートＳＣフレーム、およびＯＦＤＭフレームに適用されるスペクトルマスクのためのパラメータを指定する。テーブルの列は、左から右に、コーナー（corner）、ｄＢｃ単位の相対電力（relative power）、シングルチャネル、２ボンデッドチャネル、３ボンデッドチャネル、４ボンデッドチャネル、およびスペクトルマスクを管理する送信モードを含む。
【００７６】
[00103]  特に、シングルチャネルＳＣまたはＯＦＤＭフレームなど、シングルチャネルフレームの場合、スペクトルマスクのコーナー１、２、３、および４は、それぞれ、実質的に０ｄＢｃ相対電力において中心周波数（center frequency）（ｆｃ）から±０．９４ＧＨｚであり、実質的に−１７ｄＢｃ相対電力において中心周波数（ｆｃ）から±１．２ＧＨｚであり、実質的に−２２ｄＢｃ相対電力において中心周波数（ｆｃ）から±２．７ＧＨｚであり、実質的に−３０ｄＢｃにおいて中心周波数（ｆｃ）から±３．０６ＧＨｚである。図１２Ｂは、シングルチャネルフレームに適用される例示的なスペクトルマスクのグラフを示す。
【００７７】
[00104]  ２ボンデッドチャネルＷＢ−ＳＣ  ＯＦＤＭフレームなど、２ボンデッドチャネルフレームの場合、スペクトルマスクのコーナー１、２、３、および４は、実質的に０ｄＢｃ相対電力において中心周波数（ｆｃ）から±２．０２ＧＨｚであり、実質的に−１７ｄＢｃ相対電力において中心周波数（ｆｃ）から±２．４ＧＨｚであり、実質的に−２２ｄＢｃ相対電力において中心周波数（ｆｃ）から±５．４ＧＨｚであり、実質的に−３０ｄＢｃにおいて中心周波数（ｆｃ）から±６．１２ＧＨｚである。図１２Ｃは、２ボンデッドチャネルフレームに適用される例示的なスペクトルマスクのグラフを示す。
【００７８】
[00105]  ３ボンデッドチャネルＷＢ−ＳＣまたはＯＦＤＭフレームなど、３ボンデッドチャネルフレームの場合、スペクトルマスクのコーナー１、２、３、および４は、実質的に０ｄＢｃ相対電力において中心周波数（ｆｃ）から±３．１ＧＨｚであり、実質的に−１７ｄＢｃ相対電力において中心周波数（ｆｃ）から±３．６ＧＨｚであり、実質的に−２２ｄＢｃ相対電力において中心周波数（ｆｃ）から±８．１ＧＨｚであり、実質的に−３０ｄＢｃにおいて中心周波数（ｆｃ）から±９．１８ＧＨｚである。図１２Ｄは、３ボンデッドチャネルフレームに適用される例示的なスペクトルマスクのグラフを示す。
【００７９】
[00106]  ３ボンデッドチャネルＷＢ−ＳＣまたはＯＦＤＭフレームなど、４ボンデッドチャネルフレームの場合、スペクトルマスクのコーナー１、２、３、および４は、実質的に０ｄＢｃ相対電力において中心周波数（ｆｃ）から±４．１８ＧＨｚであり、実質的に−１７ｄＢｃ相対電力において中心周波数（ｆｃ）から±４．８ＧＨｚであり、実質的に−２２ｄＢｃ相対電力において中心周波数（ｆｃ）から±１０．８ＧＨｚであり、実質的に−３０ｄＢｃにおいて中心周波数（ｆｃ）から±１２．２４ＧＨｚである。図１２Ｅは、４ボンデッドチャネルフレームに適用される例示的なスペクトルマスクのグラフを示す。
【００８０】
[00107]  図１３Ａ〜図１３Ｄは、本開示の一態様による、アグリゲート（隣接チャネル）シングルキャリア（ＳＣ）送信モードの送信のための例示的なフレーム１３００、１３１０、１３２０、および１３３０を示す。フレーム１３００、１３１０、１３２０、および１３３０は、‘４７９仮出願で詳細に説明されている。要約すると、アグリゲートモードでの送信は、レガシー８０２．１１ａｄチャネルのアグリゲーションである。８０２．１１ａｙは８０２．１１ａｄのモードを拡張するので、ＥＤＭＧヘッダビットが必要である。これらのフレーム１３００、１３１０、１３２０、および１３３０の各々のデータペイロード中のデータは、図５のテーブルに示されているＭＣＳのうちのいずれかに従って符号化および変調され得る。データペイロード中のデータ（ＦＦＴ）ブロックの各々は、図４Ａ〜図４Ｂに示されているように、ロング、ノーマル、またはショートＧＩを使用し得る。
【００８１】
[00108]  （本明細書でさらに説明される）アグリゲートＳＣとＷＢ−ＳＣの両方のためのフレームフォーマットは、それらの第１のセクション（Ｌ−ＳＴＦ、Ｌ−ＣＥＦ、Ｌ−ヘッダおよびＥＤＭＧヘッダ）中で同様であり、送信の残りについて異なる。同様の部分は、それが後方互換性特徴について８０２．１１ａｄとの後方互換性があるので、同じに保たれる。それは、レガシー（８０２．１１ａｄ）デバイスが、それを検出し、Ｌ−ヘッダを復号することが可能になることを意味する。前に説明されたように、この特徴は、レガシーデバイスがＮＡＶを更新することを可能にし、これは衝突回避方法の一部である。さらに、チャネルボンデッド（ＣＢ：channel bonded）モードで、Ｌ−ＳＴＦ、Ｌ−ＣＥＦ、およびＬ−ヘッダは、すべてのチャネル上のレガシーデバイスがＮＡＶを得ることを可能にするために、すべての使用されるチャネル上で送信される。
【００８２】
[00109]  レガシー（Ｌ−ＳＴＦ＋Ｌ−ＣＥＦ＋Ｌ−ヘッダ）およびＥＤＭＧヘッダは、アグリゲートされたチャネルにわたって同じ電力を用いて送信されるべきである。しかしながら、ＲＦ障害により、実際の実効等方放射電力（ＥＩＲＰ：effective isotropic radiated power）が異なり得る。８０２．１１ａｙ追加ヘッダ、別名「ＥＤＭＧヘッダ」も、８０２．１１ａｄチャネルにおいて送信される。前に説明されたように、ＥＤＭＧヘッダは８０２．１１ａｙ送信の一部である情報のみを含み、また、８０２．１１ａｙペイロードデータは同じシンボルにアペンドされる。以下の考慮事項が適用される：（１）レガシーＬ−ＳＴＦおよびＬ−ＣＥＦが適用される（追加ＣＥＦの必要はない）、（２）８０２．１１ａｄデータのためのＬ−ヘッダにおいて定義されている変調およびコーディング、（３）ショートメッセージのためのオーバーヘッドを改善するために同じシンボルにアペンドされたデータ、（４）データが、オーバーヘッドを改善するためにＣＢモードでチャネルにわたってスプリットされる、および（５）平均電力が、各チャネルにおいて同じに保たれるべきである（Ｌ−ＳＴＦ、Ｌ−ＣＥＦ、Ｌ−ヘッダおよびＥＤＭＧヘッダの電力が同じであることを意味する）。
【００８３】
[00110]  フレーム１３００は、シングルチャネルの場合の８０２．１１ａｙの拡張である。それは、８０２．ａｙデータペイロードおよび随意のＴＲＮのための８０２．１１ａｙの新しいＭＣＳを可能にする。フレーム１３１０は、（時間的にボンディングされるが、周波数的にボンディングされない）２チャネルの場合の８０２．１１ａｙの拡張である。フレーム１３２０は、（時間的にボンディングされるが、周波数的にボンディングされない）３チャネルの場合の８０２．１１ａｙの拡張である。また、フレーム１３３０は、（時間的にボンディングされるが、周波数的にボンディングされない）４チャネルの場合の８０２．１１ａｙの拡張である。ＥＤＭＧヘッダおよび付加データは、電力差ビットがないことを除いて、ＳＣ  ＷＢモードについて説明されたものと同じであり、それらは「予約済みビット」に追加される。
【００８４】
[00111]  アグリゲートＳＣのための３つの実装オプション、すなわち、（１）各チャネルは独立している、（２）すべてのチャネルは混合される、および（３）すべてのチャネルは並列に送信される、がある。この第１のオプションでは、各チャネルは独立している。８０２．１１ａｙセクションのためのＭＣＳは、各チャネルにおいて異なり得る。ＬＤＰＣブロックは１つのチャネルに限定され、各チャネルはそれ自体のブロックを有する。送信機はチャネルごとに異なる電力を割り当て得るが、電力は送信全体の間、固定であるものとする。この場合、ＥＤＭＧヘッダは各チャネルにおいて異なり得る（たとえば、チャネルごとに異なるＭＣＳ）。
【００８５】
[00112]  第２のオプションでは、すべてのチャネルはボンディングおよび混合される。８０２．１１ａｙセクションのためのＭＣＳは、すべてのチャネルについて同じである。ＬＤＰＣブロックは、チャネル間で一様に拡散される。送信機は、各チャネルの一様な検出確率のためにチャネルごとに異なる電力を割り当て得る（および割り当てるべきである）が、電力は送信全体中に固定であるものとする。このオプションでは、ＥＤＭＧヘッダは各チャネルにおいて同じになる。
【００８６】
[00113]  第３のオプションでは、データペイロード中でデータを送信するためのＭＣＳは、すべてのアグリゲートチャネルについて同じである。しかしながら、各チャネルは、独立した符号化された（たとえば、ＬＤＰＣ）ブロックを有する。各チャネルは、同様であり、並列に動作する。送信機は、各チャネルの一様な検出確率のためにチャネルごとに異なる電力を割り当て得る（割り当てるべきである）が、電力は送信全体中に固定であるものとする。送信機は、ＬＤＰＣブロックを順次１つずつ充填し、チャネル負荷イベントを保つ。いくつかのチャネル（ただし、すべてのチャネルではない）における最後のＬＤＰＣブロックは、パディングで充填され得る。このオプションでは、ＥＤＭＧヘッダは各チャネルにおいて同じになる。
【００８７】
[00114]  アグリゲートＳＣと同様である別の送信モードは重複ＳＣである。より詳細には、重複ＳＣでは、アグリゲートチャネルの送信は、同じデータがすべてのチャネルにおいて送信されるという特殊な制限を伴って、アグリゲートＳＣの第３の送信オプションと同じである。言い換えれば、各チャネルは他のチャネルの厳密な「コピー」である。
【００８８】
[00115]  フレーム１３００は、４つの利用可能なチャネルＣＨ１、ＣＨ２、ＣＨ３、およびＣＨ４のうちのいずれか１つを介して送信され得る。フレーム１３１０は、４つの利用可能なチャネルのうちの任意の２つの隣接チャネルＣＨ１−ＣＨ２、ＣＨ２−ＣＨ３、またはＣＨ３−ＣＨ４を介して送信され得る。フレーム１３２０は、４つの利用可能なチャネルのうちの任意の３つの隣接チャネルＣＨ１−ＣＨ２−ＣＨ３またはＣＨ２−ＣＨ３−ＣＨ４を介して送信され得る。結果として、フレーム１３３０は、すべての利用可能な４つのチャネルＣＨ１−ＣＨ２−ＣＨ３−ＣＨ４を介して送信されることになる。この例では、（レガシー８０２．１１ａｄとの後方互換性のために）４つの利用可能なチャネルがあるが、４つよりも多いチャネルがマルチチャネルフレームの送信のために利用可能であり得ることを理解されたい。
【００８９】
[00116]  図１４Ａ〜図１４Ｃは、本開示の一態様による、２アグリゲート（非隣接チャネル）シングルキャリア（ＳＣ）送信モードでの送信のための例示的なフレーム１４１０、１４２０、および１４３０を示す。フレーム１４１０は、チャネルＣＨ２およびＣＨ４を介した送信のない、非隣接チャネルＣＨ１およびＣＨ３を介した送信の一例である。フレーム１４２０は、チャネルＣＨ２およびＣＨ３を介した送信のない、非隣接チャネルＣＨ１およびＣＨ４を介した送信の一例である。また、フレーム１４３０は、チャネルＣＨ１およびＣＨ３を介した送信のない、非隣接チャネルＣＨ２およびＣＨ４を介した送信の一例である。
【００９０】
[00117]  図１４Ｄ〜図１４Ｅは、本開示の一態様による、３アグリゲート（隣接チャネルのペアおよび１つの非隣接チャネル）シングルキャリア（ＳＣ）送信モードを介した送信のための例示的なフレーム１４４０および１４５０を示す。フレーム１４４０は、チャネルＣＨ２を介した送信のない、非隣接チャネルＣＨ１および隣接チャネルＣＨ３−ＣＨ４を介した送信の一例である。フレーム１４５０は、チャネルＣＨ３を介した送信のない、隣接チャネルＣＨ１−ＣＨ２と非隣接チャネルＣＨ４とを介した送信の一例である。
【００９１】
[00118]  図１５Ａ〜図１５Ｃは、本開示の一態様による、直交周波数分割多重（ＯＦＤＭ）送信モードでの送信のための例示的なフレーム１５１０、１５２０、および１５３０を示す。ＯＦＤＭフレーム１５１０、１５２０、および１５３０の各々は、後方準拠（backwards compliant）であるために、レガシー８０２．１１ａｄプリアンブル（Ｌ−ＳＴＦおよびＬ−ＣＥＦ）とＬ−ヘッダとをプレフィックスとして維持すべきである。さらに、これらのＯＦＤＭフレームは、通常、レガシープリアンブル自体に適用される必要がある、ピーク対平均電力比（ＰＡＲＰ）を低減するための何らかのバックオフを用いて送信される。
【００９２】
[00119]  この例では、フレーム１５１０は、提案された新しいプロトコル（８０２．１１ａｙ）による、２チャネルアグリゲート（非隣接）ＯＦＤＭフレームの一例である。フレーム１５１０は、レガシー部分Ｌ−ＳＴＦ、Ｌ−ＣＥＦ、およびＬ−ヘッダと、随意の付加データ、ＥＤＭＧ  ＳＴＦ、ＥＤＭＧ  ＣＥＦ、データペイロード、および随意のＴＲＮをもつ提案された新しいプロトコル部分ＥＤＭＧヘッダとを含む第１のチャネル（ＣＨ１）送信を備える。第１のチャネル（ＣＨ１）は、実質的に１．７６ＧＨｚの帯域幅を有する。フレーム１５１０は、レガシー部分−ＳＴＦ、Ｌ−ＣＥＦ、およびＬ−ヘッダと、随意の付加データ、ＥＤＭＧ  ＳＴＦ、ＥＤＭＧ  ＣＥＦ、データペイロード、および随意のＴＲＮをもつ提案された新しいプロトコル部分ＥＤＭＧヘッダとを含む第３のチャネル（ＣＨ３）送信をさらに備える。第１および第３のチャネル（ＣＨ１およびＣＨ３３）におけるレガシープリアンブルおよびヘッダの送信は、８０２．１１ａｄ後方互換性のためのものである。第１のチャネル（ＣＨ１）のためのＥＤＭＧヘッダに付加されたデータは、第３のチャネル（ＣＨ３）のＥＤＭＧヘッダに付加されたデータとは異なり得る。第３のチャネル（ＣＨ３）も、１．７６ＧＨｚの帯域幅を有する。フレーム１５１０は、チャネルＣＨ２およびＣＨ４を介した送信を含まない。
【００９３】
[00120]  フレーム１５２０は、提案された新しいプロトコル（８０２．１１ａｙ）による、２チャネルアグリゲート（非隣接）ＯＦＤＭフレームの一例である。フレーム１５１０と同様に、フレーム１５２０は、レガシー部分Ｌ−ＳＴＦ、Ｌ−ＣＥＦ、およびＬ−ヘッダと、随意の付加データ、ＥＤＭＧ  ＳＴＦ、ＥＤＭＧ  ＣＥＦ、データペイロード、および随意のＴＲＮをもつ提案された新しいプロトコル部分ＥＤＭＧヘッダとを含む第１のチャネル（ＣＨ１）送信を備える。フレーム１５２０は、レガシー部分−ＳＴＦ、Ｌ−ＣＥＦ、およびＬ−ヘッダと、随意の付加データ、ＥＤＭＧ  ＳＴＦ、ＥＤＭＧ  ＣＥＦ、データペイロード、および随意のＴＲＮをもつ提案された新しいプロトコル部分ＥＤＭＧヘッダとを含む第４のチャネル（ＣＨ４）送信をさらに備える。フレーム１５２０は、チャネルＣＨ２およびＣＨ３を介した送信を含まない。
【００９４】
[00121]  フレーム１５３０は、提案された新しいプロトコル（８０２．１１ａｙ）による、２チャネルアグリゲート（非隣接）ＯＦＤＭフレームの一例である。フレーム１５１０および１５２０と同様に、フレーム１５３０は、レガシー部分Ｌ−ＳＴＦ、Ｌ−ＣＥＦ、およびＬ−ヘッダと、随意の付加データ、ＥＤＭＧ  ＳＴＦ、ＥＤＭＧ  ＣＥＦ、データペイロード、および随意のＴＲＮをもつ提案された新しいプロトコル部分ＥＤＭＧヘッダとを含む第２のチャネル（ＣＨ２）送信を備える。フレーム１５３０は、レガシー部分−ＳＴＦ、Ｌ−ＣＥＦ、およびＬ−ヘッダと、随意の付加データ、ＥＤＭＧ  ＳＴＦ、ＥＤＭＧ  ＣＥＦ、データペイロード、および随意のＴＲＮをもつ提案された新しいプロトコル部分ＥＤＭＧヘッダとを含む第４のチャネル（ＣＨ４）送信をさらに備える。フレーム１５３０は、チャネルＣＨ１およびＣＨ３を介した送信を含まない。
【００９５】
[00122]  例示的なフレーム１５１０、１５２０、および１５３０では、送信は非隣接チャネルを介するものであるが、ＯＦＤＭ送信モードフレームは、アグリゲートＳＣフレーム１３００〜１３３０と同様の隣接チャネルを介して送信され得ることを理解されたい。アグリゲートＯＦＤＭフレームとアグリゲートＳＣフレームとの間の差は、提案された新しいプロトコル８０２．１１ａｙによれば利用可能であるが、レガシープロトコル８０２．１１ａｄによれば利用可能でないＭＣＳを用いて符号化および変調されたデータを受信機が復調および復号するのを支援するために、ＯＦＤＭフレームが追加ＥＤＭＧ  ＳＴＦおよびＥＤＭＧ  ＣＥＦを含むことである。さらに、隣接および非隣接アグリゲートＯＦＤＭフレームは、多元接続のために使用され得、ここで、チャネルの各々は異なるユーザに割り当てられる。
【００９６】
[00123]  図１５Ｄ〜図１５Ｅは、本開示の一態様による、直交周波数分割多重（ＯＦＤＭ）送信モードでの送信のためのフレーム１５４０および１５５０を示す。これらのフレーム１５４０および１５５０の各々は、ボンデッドチャネルと非隣接シングルチャネル（non-adjacent single channel）とを介した送信を含む。たとえば、フレーム１５４０は、非隣接シングルチャネルＣＨ１を介した第１の送信と、ボンデッドチャネルＣＨ３＋ＣＨ４を介した第２の送信とを含む。フレーム１５４０はチャネルＣＨ２を介した送信を含まない。ボンデッドチャネル送信は、別個のチャネルＣＨ３−ＣＨ４を介したレガシー部分（Ｌ−ＳＴＦ、Ｌ−ＣＥＦ、およびＬ−ヘッダ）とＥＤＭＧヘッダとの時間整合送信（time-aligned transmissions）を含む。ボンデッドチャネル送信は、周波数ボンデッドチャネルＣＨ３＋ＣＨ４を介した送信のための、ＥＤＭＧ  ＳＴＦと、ＥＤＭＧ  ＣＥＦと、データペイロードとを含む。
【００９７】
[00124]  同様に、フレーム１５５０は、ボンデッドチャネルＣＨ１＋ＣＨ２を介した第１の送信と、シングル非隣接チャネルＣＨ４を介した第２の送信とを含む。フレーム１５５０はチャネルＣＨ３を介した送信を含まない。ボンデッドチャネル送信は、別個のチャネルＣＨ１−ＣＨ２を介したレガシー部分（Ｌ−ＳＴＦ、Ｌ−ＣＥＦ、およびＬ−ヘッダ）とＥＤＭＧヘッダとの時間整合送信を含む。ボンデッドチャネル送信は、周波数ボンデッドチャネルＣＨ１＋ＣＨ２を介した送信のための、ＥＤＭＧ  ＳＴＦと、ＥＤＭＧ  ＣＥＦと、データペイロードとを含む。
【００９８】
[00125]  ＯＦＤＭフレーム１５１０〜１５５０のためのＥＤＭＧヘッダは、電力差フィールドビットが予約済みビットとして示されることを除いて、前に説明されたＥＤＭＧヘッダと本質的に同じである。これは、ＯＦＤＭフレームが、フレームの持続時間全体にわたって、実質的に均一な平均電力を用いて送信されるからである。フレーム１５４０および１５５０はそれぞれ２ボンデッドチャネルを含むが、フレームは、３つ以上のボンデッドチャネル（たとえば、３つまたは４つのボンデッドチャネルなど）を与えるように同様の様式で構成され得ることを理解されたい。
【００９９】
[00126]  図１６Ａは、本開示の別の態様による、ＯＦＤＭ信号のサブキャリアのための例示的なパラメータのテーブルを示す。テーブルには３つのセクションがある：（１）レガシー（８０２．１１ａｄ）チャネル間の周波数ギャップ（frequency gap）が、そのようなレガシーチャネルと周波数ギャップとを含むボンデッドチャネルのためのＯＦＤＭ送信の４２０個のサブキャリアを占有する事例についてのＯＦＤＭパラメータを含む第１のセクション、（２）そのような周波数ギャップがＯＦＤＭ送信の４１８個のサブキャリアを占有する事例についてのＯＦＤＭパラメータを含む第２のセクション、および（３）そのような周波数ギャップがＯＦＤＭ送信の４１９個のサブキャリアを占有する事例についてのＯＦＤＭパラメータを含む第３のセクション。
【０１００】
[00127]  テーブルセクションの各々は、シングルチャネルＯＦＤＭフレーム（１ＣＨ）、２ボンデッドチャネルＯＦＤＭフレーム（２ＣＨ）、３ボンデッドチャネルＯＦＤＭフレーム（３ＣＨ）、および４ボンデッドチャネルＯＦＤＭフレーム（４ＣＨ）を示すための４つの列を含む。
【０１０１】
[00128]  テーブルは、３つの事例について、シングルチャネルＯＦＤＭフレーム、２ボンデッドチャネルＯＦＤＭフレーム、３ボンデッドチャネルＯＦＤＭフレーム、および４ボンデッドチャネルＯＦＤＭフレームに関連するパラメータを識別するためのいくつかの行をさらに含む。これらのパラメータは、ＮSD：データサブキャリア（data subcarrier）の数と、ＮSP：パイロットサブキャリアの数と、ＮDC：ＤＣサブキャリアの数と、ＮST：サブキャリアの総数と、ＮSR：全ＢＷの１／２を占有するサブキャリアの数と、ΔＦ：サブキャリア周波数離間（subcarrier frequency spacing）［ＭＨｚ]と、パイロット離間と、ＣＨ２における１つのパイロットのロケーション（すべてのパイロットロケーションを定義する）と、ＦS：ＯＦＤＭサンプルレート（ＭＨｚ）と、ＴS：ＯＦＤＭサンプル時間［ナノ秒（ｎｓｅｃ）]と、データ（ＦＦＴ）ブロックサイズと、ＴDFT：ＯＦＤＭ  ＩＤＦＴ／ＤＦＴ期間［マイクロ秒（ｕｓｅｃ）]と、ＴGI：ガードインターバル持続時間［ｎｓｅｃ]−＠ｌｏｎｇ＿ＣＰ（サイクリックプレフィックス）と、ＴSYM：シンボルインターバル（Symbol Interval）［ｕｓｅｃ]−＠ｌｏｎｇ＿ＣＰと、ＴGI：ガードインターバル持続時間［ｎｓｅｃ]−＠Ｓｈｏｒｔ＿ＣＰと、ＴSYM：シンボルインターバル［ＵＳＥＣ]−＠Ｓｈｏｒｔ＿ＣＰとを含む。
【０１０２】
[00129]  テーブルによって示されているように、データサブキャリアの数ＮSDは、チャネル離間事例（channel spacing cases）４２０、４１８、および４１９の各々についてボンデッドチャネルの数とともに増加する。パイロットサブキャリアの数ＮSPも、チャネル離間事例４２０、４１８、および４１９の各々についてボンデッドチャネルの数とともに増加する。ＤＣサブキャリアの数ＮDCは、ボンデッドチャネルの数にもかかわらず、すべてのチャネル離間事例４２０、４１８、および４１９について同じままである。サブキャリアの総数ＮSTは、チャネル離間事例４２０、４１８、および４１９の各々についてボンデッドチャネルの数とともに増加する。
【０１０３】
[00130]  テーブルによって示されているように、サブキャリア周波数離間（subcarrier frequency spacing）ΔＦは、チャネル離間事例４２０、４１８、および４１９のすべてについて、ＯＦＤＭ送信がシングルチャネルを介するものであるのか、ボンデッドチャネルを介するものであるのかかかわらず、実質的に同じに（たとえば、５．１６ＭＨｚに）保たれる。パイロットサブキャリア離間は、チャネル離間事例の各々についてボンデッドチャネルの数にもかかわらず固定のままであるが、チャネル離間事例４１８について、それは１９であり、チャネル離間事例４２０および４１９について、それは２１である。すべてのパイロットチャネルを定義するパイロットチャネルのロケーションは、ボンデッドチャネルの数にもかかわらず同じままであるが、チャネル離間事例４２０および４１８について、それはサブキャリア１０であり、チャネル離間事例４１９について、それはサブキャリア７である。
【０１０４】
[00131]  ＯＦＤＭサンプルレートＦｓは、ボンデッドチャネルの数とともに増加し、すべてのチャネル離間事例（channel spacing case）についてそれぞれ同じである。ＯＦＤＭサンプル時間Ｔｓは、ボンデッドチャネルの数とともに減少し、すべてのチャネル離間事例についてそれぞれ同じである。データ（ＦＦＴ）ブロックサイズは、ボンデッドチャネルの数とともに増加し、すべてのチャネル離間事例についてそれぞれ同じである。ＯＦＤＭ  ＩＤＦＴ／ＤＦＴ期間ＴDFTは、ボンデッドチャネルの数にもかかわらず、すべてのチャネル離間事例４２０、４１８、および４１９について同じままである。
【０１０５】
[00132]  ロングサイクリックプレフィックス（ＣＰ）のためのガードインターバル持続時間ＴGIは、ボンデッドチャネルの数にもかかわらず、すべてのチャネル離間事例４２０、４１８、および４１９について同じままである。ロングサイクリックプレフィックス（ＣＰ）のためのシンボルインターバルＴSYSは、ボンデッドチャネルの数にもかかわらず、すべてのチャネル離間事例４２０、４１８、および４１９について同じままである。ショートサイクリックプレフィックス（ＣＰ：cyclic prefix）のためのガードインターバル持続時間ＴGIは、ボンデッドチャネルの数にもかかわらず、すべてのチャネル離間事例４２０、４１８、および４１９について同じままである。また、ショートサイクリックプレフィックス（ＣＰ）のためのシンボルインターバルＴSYSは、ボンデッドチャネルの数にもかかわらず、すべてのチャネル離間事例４２０、４１８、および４１９について同じままである。
【０１０６】
[00133]  図１６Ｂは、４２０個のサブキャリアのチャネル離間事例のパイロットサブキャリア割当てのテーブルを示す。テーブルによって示されているように、パイロットサブキャリア割当ては、対応するシングルチャネル事例またはボンデッドチャネル事例について変化しない。たとえば、ＯＦＤＭフレームが、レガシーチャネル（legacy channel）ＣＨ１、ＣＨ２、ＣＨ３、またはＣＨ４など、シングルチャネル（ＣＢ＝１）を介して送信される場合、パイロットサブキャリアインデックス（pilot subcarrier index）（たとえば、−１５８〜＋１５７）は、テーブルの対応する列に示されているように同じである。同様に、ＯＦＤＭフレームが、レガシーチャネルＣＨ１−ＣＨ２、ＣＨ２−ＣＨ３、またはＣＨ３−ＣＨ４など、２ボンデッドチャネル（ＣＢ＝２）を介して送信される場合、パイロットサブキャリアインデックス（たとえば、−３６８〜＋３６７）は、テーブルの対応する列に示されているように同じである。ＯＦＤＭフレームが、レガシーチャネルＣＨ１−ＣＨ２−ＣＨ３またはＣＨ２−ＣＨ３−ＣＨ４など、３ボンデッドチャネル（ＣＢ＝３）を介して送信される場合、パイロットサブキャリアインデックス（たとえば、−５７８〜＋５７７）は、テーブルの対応する列に示されているように同じである。また、ＯＦＤＭフレームが、レガシーチャネルＣＨ１−ＣＨ４など、４ボンデッドチャネル（ＣＢ＝４）を介して送信される場合、パイロットサブキャリアインデックス範囲は、テーブルの対応する列に示されているように、−７８８から＋７８７までである。
【０１０７】
[00134]  図１６Ｃは、４１８個のサブキャリアのチャネル離間事例のパイロットサブキャリア割当てのテーブルを示す。テーブルによって示されているように、パイロットサブキャリア割当ては、対応するシングルチャネル事例またはボンデッドチャネル事例について変化しない。たとえば、ＯＦＤＭフレームが、レガシーチャネルＣＨ１、ＣＨ２、ＣＨ３、またはＣＨ４など、シングルチャネル（ＣＢ＝１）を介して送信される場合、パイロットサブキャリアインデックス（たとえば、−１１６〜＋１６２）は、テーブルの対応する列に示されているように同じである。同様に、ＯＦＤＭフレームが、レガシーチャネルＣＨ１−ＣＨ２、ＣＨ２−ＣＨ３、またはＣＨ３−ＣＨ４など、２ボンデッドチャネル（ＣＢ＝２）を介して送信される場合、パイロットサブキャリアインデックス（たとえば、−３７０〜＋３７１）は、テーブルの対応する列に示されているように同じである。ＯＦＤＭフレームが、レガシーチャネルＣＨ１−ＣＨ２−ＣＨ３またはＣＨ２−ＣＨ３−ＣＨ４など、３ボンデッドチャネル（ＣＢ＝３）を介して送信される場合、パイロットサブキャリアインデックス（たとえば、−５７９〜＋５８０）は、テーブルの対応する列に示されているように同じである。また、ＯＦＤＭフレームが、レガシーチャネルＣＨ１−ＣＨ４など、４ボンデッドチャネル（ＣＢ＝４）を介して送信される場合、パイロットサブキャリアインデックス範囲は、テーブルの対応する列に示されているように、−７８８から＋７８９までである。
【０１０８】
[00135]  図１６Ｄ１は、４１９個のサブキャリアのチャネル離間事例およびシングルチャネル送信（ＣＢ＝１）についてのパイロットサブキャリア割当てのテーブルを示す。４２０および４１８チャネル離間事例とは対照的に、パイロットサブキャリア割当ては、ＯＦＤＭフレームを送信するために使用される特定のレガシーチャネル（ＣＨ１、ＣＨ２、ＣＨ３、またはＣＨ４）に基づいて変化する。たとえば、ＯＦＤＭフレームがチャネルＣＨ１を介して送信される場合、パイロットサブキャリアインデックスは、テーブルの対応する列に示されているように、−１６２から＋１７４にわたる。ＯＦＤＭフレームがチャネルＣＨ２を介して送信される場合、パイロットサブキャリアインデックスは、テーブルの対応する列に示されているように、−１６１から＋１７５にわたる。ＯＦＤＭフレームがチャネルＣＨ３を介して送信される場合、パイロットサブキャリアインデックスは、テーブルの対応する列に示されているように、−１６０から＋１７６にわたる。ＯＦＤＭフレームがチャネルＣＨ４を介して送信される場合、パイロットサブキャリアインデックスは、テーブルの対応する列に示されているように、−１５９から＋１７７にわたる。
【０１０９】
[00136]  図１６Ｄ２は、４１９個のサブキャリアのチャネル離間事例および２ボンデッドチャネル送信（ＣＢ＝２）についてのパイロットサブキャリア割当てのテーブルを示す。この場合も、４２０および４１８チャネル離間事例とは対照的に、パイロットサブキャリア割当ては、ＯＦＤＭフレームを送信するために使用される特定のボンデッドチャネル（ＣＨ１−ＣＨ２、ＣＨ２−ＣＨ３、またはＣＨ３−ＣＨ４）に基づいて変化する。たとえば、ＯＦＤＭフレームがボンデッドチャネルＣＨ１−ＣＨ２を介して送信される場合、パイロットサブキャリアインデックスは、テーブルの対応する列に示されているように、−３７２から＋３８４にわたる。ＯＦＤＭフレームがボンデッドチャネルＣＨ２−ＣＨ３を介して送信される場合、パイロットサブキャリアインデックスは、テーブルの対応する列に示されているように、−３７０から＋３８６にわたる。ＯＦＤＭフレームがボンデッドチャネルＣＨ３−ＣＨ４を介して送信される場合、パイロットサブキャリアインデックス範囲は、テーブルの対応する列に示されているように、−３７９から＋３８７までである。
【０１１０】
[00137]  図１６Ｄ３は、４１９個のサブキャリアのチャネル離間事例および３ボンデッドチャネル送信（ＣＢ＝３）についてのパイロットサブキャリア割当てのテーブルを示す。この場合も、４２０および４１８チャネル離間事例とは対照的に、パイロットサブキャリア割当ては、ＯＦＤＭフレームを送信するために使用される特定のボンデッドチャネル（ＣＨ１−ＣＨ２−ＣＨ３、またはＣＨ２−ＣＨ３−ＣＨ４）に基づいて変化する。たとえば、ＯＦＤＭフレームがボンデッドチャネルＣＨ１−ＣＨ２−ＣＨ３を介して送信される場合、パイロットサブキャリアインデックスは、テーブルの対応する列に示されているように、−５８１から＋５９５にわたる。ＯＦＤＭフレームがボンデッドチャネルＣＨ２−ＣＨ３−ＣＨ４を介して送信される場合、パイロットサブキャリアインデックス範囲は、テーブルの対応する列に示されているように、−５８０から＋５９６までである。
【０１１１】
[00138]  図１６Ｄ４は、４１９個のサブキャリアのチャネル離間事例および４ボンデッドチャネル送信（ＣＢ＝４）についてのパイロットサブキャリア割当てのテーブルを示す。ＯＦＤＭフレームがボンデッドチャネルＣＨ１−ＣＨ２−ＣＨ３−ＣＨ４を介して送信される場合、パイロットサブキャリアインデックス範囲は、テーブルの対応する列に示されているように、−７９０から＋８０６までである。
【０１１２】
[00139]  図１６Ｅは、本開示の別の態様による、直交周波数分割多重（ＯＦＤＭ）送信モードを介してデータを送信するための例示的な変調コーディング方式（ＭＣＳ）のパラメータを示すテーブルを示す。図１６Ｅに示されているテーブルは、アグリゲートおよびＷＢ−ＳＣフレームに関係する図５に示されているテーブルと同様の構造を有する。
【０１１３】
[00140]  ＯＦＤＭ送信モードのための２４個のＭＣＳがある。詳細には、ＭＣＳ１〜２４は以下の通りである：（１）１／２のコードレートをもつスタッガードＱＰＳＫ（ＳＱＰＳＫ：staggered QPSK）、（２）５／８のコードレートをもつＳＱＰＳＫ、（３）１／２のコードレートをもつＱＰＳＫ、（４）５／８のコードレートをもつＱＰＳＫ、（５）３／４のコードレートをもつＱＰＳＫ、（６）１３／１６のコードレートをもつＱＰＳＫ、（７）７／８のコードレートをもつＱＰＳＫ、（８）１／２のコードレートをもつ１６ＱＡＭ、（９）５／８のコードレートをもつ１６ＱＡＭ、（１０）３／４のコードレートをもつ１６ＱＡＭ、（１１）１３／１６のコードレートをもつ１６ＱＡＭ、（１２）７／８のコードレートをもつ１６ＱＡＭ、（１３）５／８のコードレートをもつ６４ＱＡＭ、（１４）３／４のコードレートをもつ６４ＱＡＭ、（１５）１３／１６のコードレートをもつ６４ＱＡＭ、（１６）７／８のコードレートをもつ６４ＱＡＭ、（１７）５／８のコードレートをもつ１２８ＡＰＳＫ、（１８）３／４のコードレートをもつ１２８ＡＰＳＫ、（１９）１３／１６のコードレートをもつ１２８ＡＰＳＫ、（２０）７／８のコードレートをもつ１２８ＡＰＳＫ、（２１）５／８のコードレートをもつ２５６ＱＡＭ、（２２）３／４のコードレートをもつ２５６ＱＡＭ、（２３）１３／１６のコードレートをもつ２５６ＱＡＭ、および（２４）７／８のコードレートをもつ２５６ＱＡＭ。
【０１１４】
[00141]  シングルチャネルのためのＭＣＳ１〜５、８〜１１、および１３〜１５ならびにロングＧＩは、８０２．１１ａｄ  ＯＦＤＭフレームの場合と同じである。シングルチャネルのためのＭＣＳ１〜５、８〜１１、および１３〜１５ならびにショートＧＩは、提案された新しいプロトコル（たとえば、８０２．１１ａｙ）によるＯＦＤＭフレーム中でのデータの送信のためにのみ利用可能である。さらに、すべてのボンデッドチャネルのためのＭＣＳ１〜５、８〜１１、および１３〜１５は、提案された新しいプロトコル（たとえば、８０２．１１ａｙ）によるＯＦＤＭフレーム中でのデータの送信のためにのみ利用可能である。さらに、すべてのチャネル（シングルまたはボンデッド）のためのＭＣＳ６〜７、１２、および１６〜２４ならびにロングおよびショートＧＩは、提案された新しいプロトコル（たとえば、８０２．１１ａｙ）によるＯＦＤＭフレーム中でのデータの送信のためにのみ利用可能である。
【０１１５】
[00142]  ＭＣＳ１７〜２４による１２８ＡＰＳＫおよび２５６ＱＡＭ変調は、それぞれ、図９Ａ〜図９Ｂおよび図１０に関して図示および説明されたように構成され得る。図１６Ｅに示されているテーブルは、ＭＣＳ１〜２４に関連するデータレートを示す。
【０１１６】
[00143]  図１７は、本開示のいくつかの態様による、例示的なデバイス１７００を示す。デバイス１７００は、アクセスポイント（たとえば、アクセスポイント１１０）またはアクセス端末（たとえば、アクセス端末）において動作し、本明細書で説明される動作のうちの１つまたは複数を実行するように構成され得る。デバイス１７００は、処理システム１７２０と、プロセッサシステム１７２０に結合されたメモリ１７１０とを含む。メモリ１７１０は、処理システム１７２０によって実行されたとき、本明細書で説明される動作のうちの１つまたは複数を処理システム１７２０に実行させる命令を記憶し得る。処理システム１７２０の例示的な実装形態が以下で与えられる。デバイス１７００は、処理システム１７２０に結合された送信／受信機インターフェース１７３０をも備える。インターフェース１７３０（たとえば、インターフェースバス）は、以下でさらに説明されるように、無線周波数（ＲＦ）フロントエンド（たとえば、トランシーバ２２６または２６６）に処理システム１７２０をインターフェースするように構成され得る。
【０１１７】
[00144]  いくつかの態様では、処理システム１７２０は、本明細書で説明される動作のうちの１つまたは複数を実行するための、送信データプロセッサ（たとえば、送信データプロセッサ２２０または２６０）、フレームビルダー（たとえば、フレームビルダー２２２または２６２）、送信プロセッサ（たとえば、送信プロセッサ２２４または２６４）および／またはコントローラ（たとえば、コントローラ２３４または２７４）を含み得る。これらの態様では、処理システム１７２０は、フレームを生成し、（たとえば、アクセスポイントまたはアクセス端末への）ワイヤレス送信のためにインターフェース１７３０を介してＲＦフロントエンド（たとえば、トランシーバ２２６または２６６）にフレームを出力し得る。
【０１１８】
[00145]  いくつかの態様では、処理システム１７２０は、本明細書で説明される動作のうちの１つまたは複数を実行するための、受信プロセッサ（たとえば、受信プロセッサ２４２または２８２）、受信データプロセッサ（たとえば、受信データプロセッサ２４４または２８４）および／またはコントローラ（たとえば、コントローラ２３４または２７４）を含み得る。これらの態様では、処理システム１７２０は、上記で説明された態様のうちのいずれか１つまたは複数に従って、インターフェース１７３０を介してＲＦフロントエンド（たとえば、トランシーバ２２６または２６６）からフレームを受信し、フレームを処理し得る。
【０１１９】
[00146]  アクセス端末１２０の場合、デバイス１７００は、処理システム１７２０に結合されたユーザインターフェース１０４０を含み得る。ユーザインターフェース１７４０は、（たとえば、キーパッド、マウス、ジョイスティックなどを介して）ユーザからデータを受信し、処理システム１７４０にデータを与えるように構成され得る。ユーザインターフェース１７４０はまた、（たとえば、ディスプレイ、スピーカーなどを介して）処理システム１７４０からユーザにデータを出力するように構成され得る。この場合、データは、ユーザに出力される前に、追加の処理を受け得る。アクセスポイント１１０の場合、ユーザインターフェース１７４０は省略され得る。
【０１２０】
[00147]  上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示された動作がある場合、それらの動作は、同様の番号をもつ対応するカウンターパートのミーンズプラスファンクション構成要素を有し得る。
【０１２１】
[00148]  たとえば、フレームを生成するための手段のいくつかの例は、フレームビルダー２２２および２６２と処理システム１７２０とを含む。送信のためにフレームを出力するための手段のいくつかの例は、送信プロセッサ２２４および２６４と送信／受信インターフェース１７３０とを含む。シングルチャネルを介した送信のためにフレームを生成するための手段のいくつかの例は、フレームビルダー２２２および２６２と処理システム１７２０とを含む。複数のボンデッドチャネルを介した送信のためにフレームのデータペイロードを生成するための手段のいくつかの例は、フレームビルダー２２２および２６２と処理システム１７２０とを含む。
【０１２２】
[00149]  第１のプロトコルに従ってＭＣＳの第１のセットのうちの１つを用いてデータペイロードを符号化および変調するための手段のいくつかの例は、送信データプロセッサ２２０および２６０と処理システム１７２０とを含む。第２のプロトコルに従って変調コーディング方式（ＭＣＳ）の第２のセットのうちの１つを用いてヘッダを符号化および変調するための手段のいくつかの例は、送信データプロセッサ２２０および２６０と処理システム１７２０とを含む。
【０１２３】
[00150]  複数のボンデッドチャネルを介した送信のためにフレームのデータペイロードを生成するための手段のいくつかの例は、フレームビルダー２２２および２６２と処理システム１７２０とを含む。フレームにスペクトルマスクを適用するための手段のいくつかの例は、送信プロセッサ２２４および２６２と処理システム１７２０とを含む。マスキングされたフレームを出力するための手段のいくつかの例は、送信プロセッサ２２４および２６４と送信／受信インターフェース１７３０とを含む。時間的にボンディングされるが、周波数的に分離された複数のチャネルを介した送信のためにフレームを生成するための手段のいくつかの例は、フレームビルダー２２２および２６２と処理システム１７２０とを含む。少なくとも別のチャネルを介した送信ではなく複数のチャネルのうちの少なくとも２つを介した送信のためにフレームを出力するための手段のいくつかの例は、送信プロセッサ２２４および２６４と送信／受信インターフェース１７３０とを含む。
【０１２４】
[00151]  複数の直交周波数分割多重（ＯＦＤＭ）ボンデッドチャネルを介した送信のためにフレームを生成するための手段のいくつかの例は、フレームビルダー２２２および２６２と処理システム１７２０とを含む。複数の直交周波数分割多重（ＯＦＤＭ）ボンデッドチャネルまたはシングルＯＦＤＭチャネルを介した送信のためにフレームを生成するための手段のいくつかの例は、フレームビルダー２２２および２６２と処理システム１７２０とを含む。
【０１２５】
[00152]  ボンデッドチャネルおよびシングルチャネルを介した送信のためにフレームを生成するための手段のいくつかの例は、フレームビルダー２２２および２６２と処理システム１７２０とを含む。少なくとも別のチャネルを介した送信ではなくボンデッドチャネルおよびシングルチャネルを介した送信のためにフレームを出力するための手段のいくつかの例は、送信プロセッサ２２４および２６４と送信／受信インターフェース１７３０とを含む。
【０１２６】
[00153]  いくつかの場合には、フレームを実際に送信するのではなく、デバイスは、送信のためにフレームを出力するためのインターフェース（出力するための手段）を有し得る。たとえば、プロセッサは、バスインターフェースを介して、送信のために無線周波数（ＲＦ）フロントエンドにフレームを出力し得る。同様に、フレームを実際に受信するのではなく、デバイスは、別のデバイスから受信されたフレームを取得するためのインターフェース（取得するための手段）を有し得る。たとえば、プロセッサは、バスインターフェースを介して、受信のためにＲＦフロントエンドからフレームを取得（または受信）し得る。
【０１２７】
[00154]  本明細書で使用される「決定すること（determining）」という用語は、多種多様なアクションを包含する。たとえば、「決定すること」は、計算すること（calculating）、算出すること（computing）、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１２８】
[00155]  本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１２９】
[00156]  本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３０】
[00157]  本開示に関連して説明された方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【０１３１】
[00158]  本明細書で開示された方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく変更され得る。
【０１３２】
[00159]  説明された機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。アクセス端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野でよく知られており、したがってこれ以上説明されない。
【０１３３】
[00160]  プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【０１３４】
[00161]  ハードウェア実装形態では、機械可読媒体は、プロセッサとは別個の処理システムの一部であり得る。しかしながら、当業者なら容易に諒解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体、またはそれの任意の部分は、キャッシュおよび／または汎用レジスタファイルがそうであり得るように、プロセッサに統合され得る。
【０１３５】
[00162]  処理システムは、すべて外部バスアーキテクチャを介して他のサポート回路と互いにリンクされる、プロセッサ機能を提供する１つまたは複数のマイクロプロセッサと、機械可読媒体の少なくとも一部分を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明された様々な機能を実行することができる回路の任意の組合せを用いて、実装され得る。当業者は、特定の適用例と、全体的なシステムに課される全体的な設計制約とに応じて、どのようにしたら処理システムについて説明された機能を最も良く実装し得るかを理解されよう。
【０１３６】
[00163]  機械可読媒体はいくつかのソフトウェアモジュールを備え得る。ソフトウェアモジュールは、プロセッサによって実行されたとき、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【０１３７】
[00164]  ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ：digital subscriber line）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ：digital versatile disc）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（non-transitory computer-readable media）（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０１３８】
[00165]  したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１３９】
[00166]  さらに、本明細書で説明された方法および技法を実行するためのモジュールおよび／または他の適切な手段は、適用可能な場合にアクセス端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、アクセス端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【０１４０】
[00167]  特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
【図１】
2020156092.tif 000003
【図２】
2020156092.tif 000004
【図３】
2020156092.tif 000005
【図４Ａ】
2020156092.tif 000006
【図４Ｂ】
2020156092.tif 000007
【図４Ｃ】
2020156092.tif 000008
【図５】
2020156092.tif 000009
【図６】
2020156092.tif 000010
【図７Ａ】
2020156092.tif 000011
【図７Ｂ】
2020156092.tif 000012
【図８Ａ】
2020156092.tif 000013
【図８Ｂ】
2020156092.tif 000014
【図９Ａ】
2020156092.tif 000015
【図９Ｂ】
2020156092.tif 000016
【図１０】
2020156092.tif 000017
【図１１Ａ】
2020156092.tif 000018
【図１１Ｂ】
2020156092.tif 000019
【図１１Ｃ】
2020156092.tif 000020
【図１２Ａ】
2020156092.tif 000021
【図１２Ｂ】
2020156092.tif 000022
【図１２Ｃ】
2020156092.tif 000023
【図１２Ｄ】
2020156092.tif 000024
【図１２Ｅ】
2020156092.tif 000025
【図１３Ａ】
2020156092.tif 000026
【図１３Ｂ】
2020156092.tif 000027
【図１３Ｃ】
2020156092.tif 000028
【図１３Ｄ】
2020156092.tif 000029
【図１４Ａ】
2020156092.tif 000030
【図１４Ｂ】
2020156092.tif 000031
【図１４Ｃ】
2020156092.tif 000032
【図１４Ｄ】
2020156092.tif 000033
【図１４Ｅ】
2020156092.tif 000034
【図１５Ａ】
2020156092.tif 000035
【図１５Ｂ】
2020156092.tif 000036
【図１５Ｃ】
2020156092.tif 000037
【図１５Ｄ】
2020156092.tif 000038
【図１５Ｅ】
2020156092.tif 000039
【図１６Ａ】
2020156092.tif 000040
【図１６Ｂ】
2020156092.tif 000041
【図１６Ｃ】
2020156092.tif 000042
【図１６Ｄ１】
2020156092.tif 000043
【図１６Ｄ２】
2020156092.tif 000044
【図１６Ｄ３】
2020156092.tif 000045
【図１６Ｄ４】
2020156092.tif 000046
【図１６Ｅ】
2020156092.tif 000047
【図１７】
2020156092.tif 000048
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
プリアンブルと、ヘッダと、変調コーディング方式（ＭＣＳ）を用いて符号化および変調されたデータペイロードとを備えるフレームを生成するように構成された処理システムと、ここにおいて、第１のデバイスが第１のプロトコルに従って動作するとき、前記プリアンブル、前記ヘッダ、および前記符号化および変調されたデータペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記符号化および変調されたデータペイロードが、前記第２のデバイスによって復号可能でなく、ここにおいて、前記符号化および変調されたデータペイロードが、少なくとも１つのデータブロックを備え、ここにおいて、前記少なくとも１つのデータブロックの各々が、複数のデータシンボルと、前記第１のデバイスに知られているシンボルのシーケンスを備えるガードインターバルとを備える、
複数のボンディングされたチャネルを介した送信のために前記フレームを出力するように構成されたインターフェースと
を備え、
シーケンスシンボルの数がボンデッドチャネルの数の関数である、
ワイヤレス通信のための装置。
【請求項２】
ボンデッドチャネルの前記数が２であり、前記ガードインターバル中のシーケンスシンボルの前記数が２５６、１２８または６４である、請求項１に記載の装置。
【請求項３】
ボンデッドチャネルの前記数が３であり、前記ガードインターバル中のシーケンスシンボルの前記数が３８４、１９２または９６である、請求項１に記載の装置。
【請求項４】
ボンデッドチャネルの前記数が４であり、前記ガードインターバル中のシーケンスシンボルの前記数が５１２、２５６または１２８である、請求項１に記載の装置。
【請求項５】
プリアンブルと、ヘッダと、変調コーディング方式（ＭＣＳ）を用いて符号化および変調されたデータペイロードとを備えるフレームを生成するように構成された処理システムと、ここにおいて、第１のデバイスが第１のプロトコルに従って動作するとき、前記プリアンブル、前記ヘッダ、および前記符号化および変調されたデータペイロードが、前記第１のデバイスによって復号可能であり、ここにおいて、第２のデバイスが第２のプロトコルに従って動作するとき、前記プリアンブルおよび前記ヘッダが、前記第２のデバイスによって復号可能であり、前記第２のデバイスが前記第２のプロトコルに従って動作するとき、前記符号化および変調されたデータペイロードが、前記第２のデバイスによって復号可能でなく、ここにおいて、前記符号化および変調されたデータペイロードが、少なくとも１つのデータブロックを備え、ここにおいて、前記少なくとも１つのデータブロックの各々が、複数のデータシンボルと、前記第１のデバイスに知られているシンボルのシーケンスを備えるガードインターバルとを備える、
複数のボンディングされたチャネルを介した送信のために前記フレームを出力するように構成されたインターフェースと
を備え、
前記少なくとも１つのデータブロックの各々中の前記データシンボルの数が、ボンデッドチャネルの数の関数である、
ワイヤレス通信のための装置。
【請求項６】
ボンデッドチャネルの前記数が２であり、前記少なくともオンデータブロック（at least on data block）の各々中のデータシンボルの前記数が７６８、８９６または９６０である、請求項５に記載の装置。
【請求項７】
ボンデッドチャネルの前記数が３であり、前記少なくともオンデータブロックの各々中のデータシンボルの前記数が１１５２、１３４４または１４４０である、請求項５に記載の装置。
【請求項８】
ボンデッドチャネルの前記数が４であり、前記少なくともオンデータブロックの各々中のデータシンボルの前記数が１５３６、１７９２または１９２０である、請求項５に記載の装置。
【手続補正２】
【補正対象書類名】明細書
【補正対象項目名】０１４０
【補正方法】変更
【補正の内容】
【０１４０】
[00167]  特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
プリアンブルと、ヘッダと、データペイロードとを備えるフレームを生成するように構成された処理システムと、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、
送信のために前記フレームを出力するように構成されたインターフェースと
を備える、ワイヤレス通信のための装置。
［Ｃ２］
前記処理システムが、シングルチャネルを介した送信のために前記フレームを生成するように構成された、Ｃ１に記載の装置。
［Ｃ３］
前記シングルチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備える第１のガードインターバルとを備える、Ｃ２に記載の装置。
［Ｃ４］
前記第１のガードインターバル中のシーケンスシンボル（sequence symbols）の数が、前記第２のプロトコルに従って指定されたシーケンスシンボルの数とは異なる、Ｃ３に記載の装置。
［Ｃ５］
シーケンスシンボルの前記数が３２または１２８である、Ｃ４に記載の装置。
［Ｃ６］
前記処理システムが、複数のボンデッドチャネルを介した送信のために前記フレームの前記データペイロードを生成するように構成された、Ｃ１に記載の装置。
［Ｃ７］
前記複数のボンデッドチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備えるガードインターバルとを備える、Ｃ６に記載の装置。
［Ｃ８］
前記シーケンスシンボルの数がボンデッドチャネルの数の関数である、Ｃ７に記載の装置。
［Ｃ９］
ボンデッドチャネルの前記数が２であり、前記ガードインターバル中のシーケンスシンボルの前記数が２５６、１２８または６４である、Ｃ８に記載の装置。
［Ｃ１０］
ボンデッドチャネルの前記数が３であり、前記ガードインターバル中のシーケンスシンボルの前記数が３８４、１９２または９６である、Ｃ８に記載の装置。
［Ｃ１１］
ボンデッドチャネルの前記数が４であり、前記ガードインターバル中のシーケンスシンボルの前記数が５１２、２５６または１２８である、Ｃ８に記載の装置。
［Ｃ１２］
前記少なくとも１つのデータブロックの各々中の前記データシンボルの数が、ボンデッドチャネルの数の関数である、Ｃ７に記載の装置。
［Ｃ１３］
ボンデッドチャネルの前記数が２であり、前記少なくともオンデータブロック（on data block）の各々中のデータシンボルの前記数が７５６、８９６または９６０である、Ｃ１２に記載の装置。
［Ｃ１４］
ボンデッドチャネルの前記数が３であり、前記少なくともオンデータブロックの各々中のデータシンボルの前記数が１１５２、１４０８または１４４０である、Ｃ１２に記載の装置。
［Ｃ１５］
ボンデッドチャネルの前記数が４であり、前記少なくともオンデータブロックの各々中のデータシンボルの前記数が１５３６、１７９２または１９２０である、Ｃ１２に記載の装置。
［Ｃ１６］
前記フレームの前記データペイロードが、少なくとも１つのデータブロックを備え、ここにおいて、前記少なくとも１つのデータブロックの各々が、複数のパイロットシンボル（pilot symbols）と、シンボルのシーケンスを備えるガードインターバルとを備え、ここにおいて、前記パイロットシンボルおよびシンボルの前記シーケンスが、前記第１のデバイスに知られている、Ｃ１に記載の装置。
［Ｃ１７］
前記処理システムが、前記第１のプロトコルに従ってＭＣＳの第１のセットのうちの１つを用いて前記データペイロードを符号化および変調するように構成され、ここにおいて、前記処理システムが、前記第２のプロトコルに従って変調コーディング方式（ＭＣＳ）の第２のセットのうちの１つを用いて前記ヘッダを符号化および変調するように構成され、ここにおいて、ＭＣＳの前記第１のセットがＭＣＳの前記第２のセットとは異なる、Ｃ１に記載の装置。
［Ｃ１８］
ＭＣＳの前記第１のセットが、６４ＱＡＭ、６４ＡＰＳＫ、１２８ＡＰＳＫ、２５６ＱＡＭ、または２５６ＡＰＳＫのうちの少なくとも１つを備え、ＭＣＳの前記第２のセットのサブセット（subset）でない、Ｃ１７に記載の装置。
［Ｃ１９］
ＭＣＳの前記第１のセットが、７／８のコードレートをもつπ／２−ＱＰＳＫ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、７／８のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫのうちの少なくとも１つを備え、ＭＣＳの前記第２のセットのサブセットでない、Ｃ１７に記載の装置。
［Ｃ２０］
ＭＣＳの前記第１のセットが、１／２のコードレートをもつπ／２−ＢＰＳＫ、５／８のコードレートをもつπ／２−ＢＰＳＫ、３／４のコードレートをもつπ／２−ＢＰＳＫ、１３／１６のコードレートをもつπ／２−ＢＰＳＫ、１／２のコードレートをもつπ／２−ＱＰＳＫ、５／８のコードレートをもつπ／２−ＱＰＳＫ、３／４のコードレートをもつπ／２−ＱＰＳＫ、１３／１６のコードレートをもつπ／２−ＱＰＳＫ、７／８のコードレートをもつπ／２−ＱＰＳＫ、１／２のコードレートをもつπ／２−１６ＱＡＭ、５／８のコードレートをもつπ／２−１６ＱＡＭ、３／４のコードレートをもつπ／２−１６ＱＡＭ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫを備える、Ｃ１７に記載の装置。
［Ｃ２１］
前記処理システムが、前記フレームにスペクトルマスクを適用するように構成され、ここにおいて、前記インターフェースが、送信のために、前記マスキングされたフレームを出力するように構成された、Ｃ１に記載の装置。
［Ｃ２２］
前記スペクトルマスクが、ボンデッドチャネルの前記数の関数であるコーナーを備える、Ｃ２１に記載の装置。
［Ｃ２３］
ボンデッドチャネルの前記数が２であり、ここにおいて、前記コーナーが、０ｄＢｃ相対電力において前記ボンデッドチャネルの中心周波数からそれぞれ±２．０２ＧＨｚである第１のコーナーと、−１７ｄＢｃ相対電力において前記中心周波数からそれぞれ±２．４ＧＨｚである第２のコーナーと、−２２ｄＢｃ相対電力において前記中心周波数からそれぞれ±５．４ＧＨｚである第３のコーナーと、−３０ｄＢｃ相対電力において前記中心周波数からそれぞれ±６．１２ＧＨｚである第４のコーナーとを備える、Ｃ２２に記載の装置。
［Ｃ２４］
ボンデッドチャネルの前記数が３であり、ここにおいて、前記コーナーが、０ｄＢｃ相対電力において前記ボンデッドチャネルの中心周波数からそれぞれ±３．１ＧＨｚである第１のコーナーと、−１７ｄＢｃ相対電力において前記中心周波数からそれぞれ±３．６ＧＨｚである第２のコーナーと、−２２ｄＢｃ相対電力において前記中心周波数からそれぞれ±８．１ＧＨｚである第３のコーナーと、−３０ｄＢｃ相対電力において前記中心周波数からそれぞれ±６．１２ＧＨｚである第４のコーナーとを備える、Ｃ２２に記載の装置。
［Ｃ２５］
ボンデッドチャネルの前記数が４であり、ここにおいて、前記コーナーが、０ｄＢｃ相対電力において前記ボンデッドチャネルの中心周波数からそれぞれ±４．１８ＧＨｚである第１のコーナーと、−１７ｄＢｃ相対電力において前記中心周波数からそれぞれ±４．８ＧＨｚである第２のコーナーと、−２２ｄＢｃ相対電力において前記中心周波数からそれぞれ±１０．８ＧＨｚである第３のコーナーと、−３０ｄＢｃ相対電力において前記中心周波数からそれぞれ±１２．２４ＧＨｚである第４のコーナーとを備える、Ｃ２２に記載の装置。
［Ｃ２６］
前記処理システムが、時間的にボンディングされるが、周波数的に分離された複数のチャネルを介した送信のために前記フレームを生成するように構成された、Ｃ１に記載の装置。
［Ｃ２７］
前記データペイロードが、前記複数のチャネルを介して送信されるべき複数のデータブロックを備える、Ｃ２６に記載の装置。
［Ｃ２８］
１つのＭＣＳが、前記複数のチャネルを介して送信されるべき前記データブロックを変調および符号化するために使用される、Ｃ２７に記載の装置。
［Ｃ２９］
それぞれのチャネルを介して送信されるべき前記データブロックが同等である、Ｃ２７に記載の装置。
［Ｃ３０］
前記複数のチャネルのうちの少なくとも２つが、送信のために利用可能な少なくとも１つの別のチャネルによって周波数的に分離され、ここにおいて、前記インターフェースが、前記複数のチャネルのうちの前記少なくとも２つのみを介した送信のために前記フレームを送信するように構成された、Ｃ２６に記載の装置。
［Ｃ３１］
前記処理システムが、複数の直交周波数分割多重（ＯＦＤＭ）ボンデッドチャネルを介した送信のために前記フレームを生成するように構成された、Ｃ１に記載の装置。
［Ｃ３２］
前記データペイロードを送信するためのデータサブキャリアの数が、前記ＯＦＤＭボンデッドチャネルの数の関数である、Ｃ３１に記載の装置。
［Ｃ３３］
データサブキャリアの前記数は、前記ＯＦＤＭボンデッドチャネルの前記数が２である場合、７３２、７３４、または７３５である、Ｃ３２に記載の装置。
［Ｃ３４］
データサブキャリアの前記数は、前記ＯＦＤＭボンデッドチャネルの前記数が３である場合、１１２８、１１３３、または１１３４である、Ｃ３２に記載の装置。
［Ｃ３５］
データサブキャリアの前記数は、前記ＯＦＤＭボンデッドチャネルの前記数が４である場合、１５２４、１５３３、または１５３４である、Ｃ３２に記載の装置。
［Ｃ３６］
パイロット信号を送信するためのパイロットサブキャリアの数が、前記ＯＦＤＭボンデッドチャネルの数の関数である、Ｃ３１に記載の装置。
［Ｃ３７］
パイロットサブキャリアの前記数は、前記ＯＦＤＭボンデッドチャネルの前記数が２である場合、３６、３７、または４０である、Ｃ３６に記載の装置。
［Ｃ３８］
前記パイロットサブキャリアが、１９個または２１個のサブキャリアだけ離間される、Ｃ３６に記載の装置。
［Ｃ３９］
パイロットサブキャリアの前記数は、前記ＯＦＤＭボンデッドチャネルの前記数が３である場合、５６、５７、または６２である、Ｃ３６に記載の装置。
［Ｃ４０］
パイロットサブキャリアの前記数は、前記ＯＦＤＭボンデッドチャネルの前記数が４である場合、７６、７７、または８４である、Ｃ３６に記載の装置。
［Ｃ４１］
前記複数のＯＦＤＭボンデッドチャネルが、前記第２のプロトコルによって定義されたそれらの間の周波数ギャップをもつ２つの隣接するチャネルを備え、ここにおいて、前記周波数ギャップ内のサブキャリアの数が４１８、４１９、または４２０である、Ｃ３１に記載の装置。
［Ｃ４２］
前記処理システムが、複数の直交周波数分割多重（ＯＦＤＭ）ボンデッドチャネルまたはシングルＯＦＤＭチャネルを介した送信のために前記フレームを生成するように構成され、ここにおいて、ＤＣサブキャリアの数は、前記フレームが、前記複数の前記ＯＦＤＭボンデッドチャネルを介して送信されるのか、前記ＯＦＤＭシングルチャネルを介して送信されるのかにかかわらず同じである、Ｃ１に記載の装置。
［Ｃ４３］
前記処理システムが、ボンデッドチャネルおよびシングルチャネルを介した送信のために前記フレームを生成するように構成され、ここにおいて、前記ボンデッドチャネルが、送信のために利用可能な少なくとも１つの別のチャネルによって前記シングルチャネルから周波数的に分離され、ここにおいて、前記インターフェースが、前記ボンデッドチャネルおよび前記シングルチャネルのみを介した送信のために前記フレームを出力するように構成された、Ｃ１に記載の装置。
［Ｃ４４］
プリアンブルと、ヘッダと、データペイロードとを備えるフレームを生成することと、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、
送信のために前記フレームを出力することと
を備える、ワイヤレス通信のための方法。
［Ｃ４５］
前記フレームを生成することが、シングルチャネルを介した送信のために前記フレームを生成することを備える、Ｃ４４に記載の方法。
［Ｃ４６］
前記シングルチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備える第１のガードインターバルとを備える、Ｃ４５に記載の方法。
［Ｃ４７］
前記第１のガードインターバル中のシーケンスシンボルの数が、前記第２のプロトコルに従って指定されたシーケンスシンボルの数とは異なる、Ｃ４６に記載の方法。
［Ｃ４８］
シーケンスシンボルの前記数が３２または１２８からなる、Ｃ４７に記載の方法。
［Ｃ４９］
前記フレームを生成することが、複数のボンデッドチャネルを介した送信のために前記フレームの前記データペイロードを生成することを備える、Ｃ４４に記載の方法。
［Ｃ５０］
前記複数のボンデッドチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備えるガードインターバルとを備える、Ｃ４９に記載の方法。
［Ｃ５１］
前記シーケンスシンボルの数がボンデッドチャネルの数の関数である、Ｃ５０に記載の方法。
［Ｃ５２］
ボンデッドチャネルの前記数が２であり、前記ガードインターバル中のシーケンスシンボルの前記数が２５６、１２８または６４である、Ｃ５１に記載の方法。
［Ｃ５３］
ボンデッドチャネルの前記数が３であり、前記ガードインターバル中のシーケンスシンボルの前記数が３８４、１９２または９６である、Ｃ５１に記載の方法。
［Ｃ５４］
ボンデッドチャネルの前記数が４であり、前記ガードインターバル中のシーケンスシンボルの前記数が５１２、２５６または１２８である、Ｃ５１に記載の方法。
［Ｃ５５］
前記少なくとも１つのデータブロックの各々中の前記データシンボルの数が、ボンデッドチャネルの数の関数である、Ｃ５０に記載の方法。
［Ｃ５６］
ボンデッドチャネルの前記数が２であり、前記少なくともオンデータブロックの各々中のデータシンボルの前記数が７５６、８９６または９６０である、Ｃ５５に記載の方法。
［Ｃ５７］
ボンデッドチャネルの前記数が３であり、前記少なくともオンデータブロックの各々中のデータシンボルの前記数が１１５２、１３４４または１４４０である、Ｃ５５に記載の方法。
［Ｃ５８］
ボンデッドチャネルの前記数が４であり、前記少なくともオンデータブロックの各々中のデータシンボルの前記数が１５３６、１７９２または１９２０である、Ｃ５５に記載の方法。
［Ｃ５９］
前記フレームの前記データペイロードが、少なくとも１つのデータブロックを備え、ここにおいて、前記少なくとも１つのデータブロックの各々が、複数のパイロットシンボルと、シンボルのシーケンスを備えるガードインターバルとを備え、ここにおいて、前記パイロットシンボルおよびシンボルの前記シーケンスが、前記第１のデバイスに知られている、Ｃ４４に記載の方法。
［Ｃ６０］
前記第１のプロトコルに従ってＭＣＳの第１のセットのうちの１つを用いて前記データペイロードを符号化および変調することと、前記第２のプロトコルに従って変調コーディング方式（ＭＣＳ）の第２のセットのうちの１つを用いて前記ヘッダを符号化および変調することとをさらに備え、ここにおいて、ＭＣＳの前記第１のセットがＭＣＳの前記第２のセットとは異なる、Ｃ４４に記載の方法。
［Ｃ６１］
ＭＣＳの前記第１のセットが、６４ＱＡＭ、６４ＡＰＳＫ、１２８ＡＰＳＫ、２５６ＱＡＭ、または２５６ＡＰＳＫのうちの少なくとも１つを備え、ＭＣＳの前記第２のセットのサブセットでない、Ｃ６０に記載の方法。
［Ｃ６２］
ＭＣＳの前記第１のセットが、７／８のコードレートをもつπ／２−ＱＰＳＫ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、７／８のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫのうちの少なくとも１つを備え、ＭＣＳの前記第２のセットのサブセットでない、Ｃ６０に記載の方法。
［Ｃ６３］
ＭＣＳの前記第１のセットが、１／２のコードレートをもつπ／２−ＢＰＳＫ、５／８のコードレートをもつπ／２−ＢＰＳＫ、３／４のコードレートをもつπ／２−ＢＰＳＫ、１３／１６のコードレートをもつπ／２−ＢＰＳＫ、１／２のコードレートをもつπ／２−ＱＰＳＫ、５／８のコードレートをもつπ／２−ＱＰＳＫ、３／４のコードレートをもつπ／２−ＱＰＳＫ、１３／１６のコードレートをもつπ／２−ＱＰＳＫ、７／８のコードレートをもつπ／２−ＱＰＳＫ、１／２のコードレートをもつπ／２−１６ＱＡＭ、５／８のコードレートをもつπ／２−１６ＱＡＭ、３／４のコードレートをもつπ／２−１６ＱＡＭ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫを備える、Ｃ６０に記載の方法。
［Ｃ６４］
前記フレームにスペクトルマスクを適用することをさらに備え、ここにおいて、送信のために前記フレームを出力することが、送信のために、前記マスキングされたフレームを出力することを備える、Ｃ４４に記載の方法。
［Ｃ６５］
前記スペクトルマスクが、ボンデッドチャネルの前記数の関数であるコーナーを備える、Ｃ６４に記載の方法。
［Ｃ６６］
ボンデッドチャネルの前記数が２であり、ここにおいて、前記コーナーが、０ｄＢｃ相対電力において前記ボンデッドチャネルの中心周波数からそれぞれ±２．０２ＧＨｚである第１のコーナーと、−１７ｄＢｃ相対電力において前記中心周波数からそれぞれ±２．４ＧＨｚである第２のコーナーと、−２２ｄＢｃ相対電力において前記中心周波数からそれぞれ±５．４ＧＨｚである第３のコーナーと、−３０ｄＢｃ相対電力において前記中心周波数からそれぞれ±６．１２ＧＨｚである第４のコーナーとを備える、Ｃ６５に記載の方法。
［Ｃ６７］
ボンデッドチャネルの前記数が３であり、ここにおいて、前記コーナーが、０ｄＢｃ相対電力において前記ボンデッドチャネルの中心周波数からそれぞれ±３．１ＧＨｚである第１のコーナーと、−１７ｄＢｃ相対電力において前記中心周波数からそれぞれ±３．６ＧＨｚである第２のコーナーと、−２２ｄＢｃ相対電力において前記中心周波数からそれぞれ±８．１ＧＨｚである第３のコーナーと、−３０ｄＢｃ相対電力において前記中心周波数からそれぞれ±６．１２ＧＨｚである第４のコーナーとを備える、Ｃ６５に記載の方法。
［Ｃ６８］
ボンデッドチャネルの前記数が４であり、ここにおいて、前記コーナーが、０ｄＢｃ相対電力において前記ボンデッドチャネルの中心周波数からそれぞれ±４．１８ＧＨｚである第１のコーナーと、−１７ｄＢｃ相対電力において前記中心周波数からそれぞれ±４．８ＧＨｚである第２のコーナーと、−２２ｄＢｃ相対電力において前記中心周波数からそれぞれ±１０．８ＧＨｚである第３のコーナーと、−３０ｄＢｃ相対電力において前記中心周波数からそれぞれ±１２．２４ＧＨｚである第４のコーナーとを備える、Ｃ６５に記載の方法。
［Ｃ６９］
前記フレームを生成することが、時間的にボンディングされるが、周波数的に分離された複数のチャネルを介した送信のために前記フレームを生成することを備える、Ｃ４４に記載の方法。
［Ｃ７０］
前記データペイロードが、前記複数のチャネルを介して送信されるべき複数のデータブロックを備える、Ｃ６９に記載の方法。
［Ｃ７１］
１つのＭＣＳが、前記複数のチャネルを介して送信されるべき前記データブロックを変調および符号化するために使用される、Ｃ７０に記載の方法。
［Ｃ７２］
それぞれのチャネルを介して送信されるべき前記データブロックが同等である、Ｃ６９に記載の方法。
［Ｃ７３］
前記複数のチャネルのうちの少なくとも２つが、送信のために利用可能な少なくとも別のチャネルによって周波数的に分離され、ここにおいて、前記フレームを出力することが、前記複数のチャネルのうちの前記少なくとも２つのみを介した送信のために前記フレームを出力することを備える、Ｃ６９に記載の方法。
［Ｃ７４］
前記フレームを生成することが、複数の直交周波数分割多重（ＯＦＤＭ）ボンデッドチャネルを介した送信のために前記フレームを生成することを備える、Ｃ４４に記載の方法。
［Ｃ７５］
前記データペイロードを送信するためのデータサブキャリアの数が、前記ＯＦＤＭボンデッドチャネルの数の関数である、Ｃ７４に記載の方法。
［Ｃ７６］
データサブキャリアの前記数は、前記ＯＦＤＭボンデッドチャネルの前記数が２である場合、７３２、７３４、または７３５である、Ｃ７５に記載の方法。
［Ｃ７７］
データサブキャリアの前記数は、前記ＯＦＤＭボンデッドチャネルの前記数が３である場合、１１２８、１１３３、または１１３４である、Ｃ７５に記載の方法。
［Ｃ７８］
データサブキャリアの前記数は、前記ＯＦＤＭボンデッドチャネルの前記数が４である場合、１５２４、１５３３、または１５３４である、Ｃ７５に記載の方法。
［Ｃ７９］
パイロット信号を送信するためのパイロットサブキャリアの数が、前記ＯＦＤＭボンデッドチャネルの数の関数である、Ｃ７４に記載の方法。
［Ｃ８０］
パイロットサブキャリアの前記数は、前記ＯＦＤＭボンデッドチャネルの前記数が２である場合、３６、３７、または４０である、Ｃ７９に記載の方法。
［Ｃ８１］
前記パイロットサブキャリアが、１９個または２１個のサブキャリアだけ離間される、Ｃ７９に記載の方法。
［Ｃ８２］
パイロットサブキャリアの前記数は、前記ＯＦＤＭボンデッドチャネルの前記数が３である場合、５６、５７、または６２である、Ｃ７９に記載の方法。
［Ｃ８３］
パイロットサブキャリアの前記数は、前記ＯＦＤＭボンデッドチャネルの前記数が４である場合、７６、７７、または８４である、Ｃ７９に記載の方法。
［Ｃ８４］
前記複数のＯＦＤＭボンデッドチャネルが、前記第２のプロトコルによって定義されたそれらの間の周波数ギャップをもつ２つの隣接するチャネルを備え、ここにおいて、前記周波数ギャップ内のサブキャリアの数が４１８、４１９、または４２０である、Ｃ７４に記載の方法。
［Ｃ８５］
前記フレームを生成することが、複数の直交周波数分割多重（ＯＦＤＭ）ボンデッドチャネルまたはシングルＯＦＤＭチャネルを介した送信のために前記フレームを生成することを備え、ここにおいて、ＤＣサブキャリアの数は、前記フレームが、前記複数の前記ＯＦＤＭボンデッドチャネルを介して送信されるのか、前記ＯＦＤＭシングルチャネルを介して送信されるのかにかかわらず同じである、Ｃ４４に記載の方法。
［Ｃ８６］
前記フレームを生成することが、ボンデッドチャネルおよびシングルチャネルを介した送信のために前記フレームを生成することを備え、ここにおいて、前記ボンデッドチャネルが、送信のために利用可能な少なくとも別のチャネルによって前記シングルチャネルから周波数的に分離され、ここにおいて、前記フレームを出力することが、前記ボンデッドチャネルおよび前記シングルチャネルのみを介した送信のために前記フレームを出力することを備える、Ｃ４４に記載の方法。
［Ｃ８７］
プリアンブルと、ヘッダと、データペイロードとを備えるフレームを生成するための手段と、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、
送信のために前記フレームを出力するための手段と
を備える、ワイヤレス通信のための装置。
［Ｃ８８］
前記フレームを生成するための前記手段が、シングルチャネルを介した送信のために前記フレームを生成するための手段を備える、Ｃ８７に記載の装置。
［Ｃ８９］
前記シングルチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備える第１のガードインターバルとを備える、Ｃ８８に記載の装置。
［Ｃ９０］
前記第１のガードインターバル中のシーケンスシンボルの数が、前記第２のプロトコルに従って指定されたシーケンスシンボルの数とは異なる、Ｃ８９に記載の装置。
［Ｃ９１］
シーケンスシンボルの前記数が３２または１２８からなる、Ｃ９０に記載の装置。
［Ｃ９２］
前記フレームを生成するための前記手段が、複数のボンデッドチャネルを介した送信のために前記フレームの前記データペイロードを生成するための手段を備える、Ｃ８７に記載の装置。
［Ｃ９３］
前記複数のボンデッドチャネルを介した送信のための前記フレームの前記データペイロードが、少なくとも１つのデータブロックを備え、ここにおいて、前記少なくとも１つのデータブロックの各々が、複数のデータシンボルと、前記第１のデバイスに知られているシンボルのシーケンスを備えるガードインターバルとを備える、Ｃ９２に記載の装置。
［Ｃ９４］
前記シーケンスシンボルの数がボンデッドチャネルの数の関数である、Ｃ９３に記載の装置。
［Ｃ９５］
ボンデッドチャネルの前記数が２であり、前記ガードインターバル中のシーケンスシンボルの前記数が２５６、１２８または６４である、Ｃ９４に記載の装置。
［Ｃ９６］
ボンデッドチャネルの前記数が３であり、前記ガードインターバル中のシーケンスシンボルの前記数が３８４、１９２または９６である、Ｃ９４に記載の装置。
［Ｃ９７］
ボンデッドチャネルの前記数が４であり、前記ガードインターバル中のシーケンスシンボルの前記数が５１２、２５６または１２８である、Ｃ９４に記載の装置。
［Ｃ９８］
前記少なくとも１つのデータブロックの各々中の前記シンボルの数が、ボンデッドチャネルの数の関数である、Ｃ９３に記載の装置。
［Ｃ９９］
ボンデッドチャネルの前記数が２であり、前記少なくともオンデータブロックの各々中のデータシンボルの前記数が７５６、８９６または９６０である、Ｃ９８に記載の装置。
［Ｃ１００］
ボンデッドチャネルの前記数が３であり、前記少なくともオンデータブロックの各々中のデータシンボルの前記数が１１５２、１４０８または１４４０である、Ｃ９８に記載の装置。
［Ｃ１０１］
ボンデッドチャネルの前記数が４であり、前記少なくともオンデータブロックの各々中のデータシンボルの前記数が１５３６、１７９２または１９２０である、Ｃ９８に記載の装置。
［Ｃ１０２］
前記フレームの前記データペイロードが、少なくとも１つのデータブロックを備え、ここにおいて、前記少なくとも１つのデータブロックの各々が、複数のパイロットシンボルと、シンボルのシーケンスを備えるガードインターバルとを備え、ここにおいて、前記パイロットシンボルおよびシンボルの前記シーケンスが、前記第１のデバイスに知られている、Ｃ８７に記載の装置。
［Ｃ１０３］
前記フレームを生成するための前記手段は、
前記第１のプロトコルに従ってＭＣＳの第１のセットのうちの１つを用いて前記データペイロードを符号化および変調するための手段と、
前記第２のプロトコルに従って変調コーディング方式（ＭＣＳ）の第２のセットのうちの１つを用いて前記ヘッダを符号化および変調するための手段と、ここにおいて、ＭＣＳの前記第１のセットがＭＣＳの前記第２のセットとは異なる、
を備える、Ｃ８７に記載の装置。
［Ｃ１０４］
ＭＣＳの前記第１のセットが、６４ＱＡＭ、６４ＡＰＳＫ、１２８ＡＰＳＫ、２５６ＱＡＭ、または２５６ＡＰＳＫのうちの少なくとも１つを備え、ＭＣＳの前記第２のセットのサブセットでない、Ｃ１０３に記載の装置。
［Ｃ１０５］
ＭＣＳの前記第１のセットが、７／８のコードレートをもつπ／２−ＱＰＳＫ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、７／８のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫのうちの少なくとも１つを備え、ＭＣＳの前記第２のセットのサブセットでない、Ｃ１０３に記載の装置。
［Ｃ１０６］
ＭＣＳの前記第１のセットが、１／２のコードレートをもつπ／２−ＢＰＳＫ、５／８のコードレートをもつπ／２−ＢＰＳＫ、３／４のコードレートをもつπ／２−ＢＰＳＫ、１３／１６のコードレートをもつπ／２−ＢＰＳＫ、１／２のコードレートをもつπ／２−ＱＰＳＫ、５／８のコードレートをもつπ／２−ＱＰＳＫ、３／４のコードレートをもつπ／２−ＱＰＳＫ、１３／１６のコードレートをもつπ／２−ＱＰＳＫ、７／８のコードレートをもつπ／２−ＱＰＳＫ、１／２のコードレートをもつπ／２−１６ＱＡＭ、５／８のコードレートをもつπ／２−１６ＱＡＭ、３／４のコードレートをもつπ／２−１６ＱＡＭ、１３／１６のコードレートをもつπ／２−１６ＱＡＭ、７／８のコードレートをもつπ／２−１６ＱＡＭ、５／８のコードレートをもつπ／２−６４ＱＡＭ、３／４のコードレートをもつπ／２−６４ＱＡＭ、１３／１６のコードレートをもつπ／２−６４ＱＡＭ、７／８のコードレートをもつπ／２−６４ＱＡＭ、５／８のコードレートをもつπ／２−６４ＡＰＳＫ、３／４のコードレートをもつπ／２−６４ＡＰＳＫ、１３／１６のコードレートをもつπ／２−６４ＡＰＳＫ、７／８のコードレートをもつπ／２−６４ＡＰＳＫ、３／４のコードレートをもつπ／２−１２８ＡＰＳＫ、１３／１６のコードレートをもつπ／２−１２８ＡＰＳＫ、７／８のコードレートをもつπ／２−１２８ＡＰＳＫ、３／４のコードレートをもつπ／２−２５６ＱＡＭ、１３／１６のコードレートをもつπ／２−２５６ＱＡＭ、３／４のコードレートをもつπ／２−２５６ＡＰＳＫ、１３／１６のコードレートをもつπ／２−２５６ＡＰＳＫ、または７／８のコードレートをもつπ／２−２５６ＡＰＳＫを備える、Ｃ１０３に記載の装置。
［Ｃ１０７］
前記フレームにスペクトルマスクを適用するための手段をさらに備え、ここにおいて、送信のために前記フレームを出力するための前記手段が、送信のために、前記マスキングされたフレームを出力するための手段を備える、Ｃ８７に記載の装置。
［Ｃ１０８］
前記スペクトルマスクが、ボンデッドチャネルの前記数の関数であるコーナーを備える、Ｃ１０７に記載の装置。
［Ｃ１０９］
ボンデッドチャネルの前記数が２であり、ここにおいて、前記コーナーが、０ｄＢｃ相対電力において前記ボンデッドチャネルの中心周波数からそれぞれ±２．０２ＧＨｚである第１のコーナーと、−１７ｄＢｃ相対電力において前記中心周波数からそれぞれ±２．４ＧＨｚである第２のコーナーと、−２２ｄＢｃ相対電力において前記中心周波数からそれぞれ±５．４ＧＨｚである第３のコーナーと、−３０ｄＢｃ相対電力において前記中心周波数からそれぞれ±６．１２ＧＨｚである第４のコーナーとを備える、Ｃ１０８に記載の装置。
［Ｃ１１０］
ボンデッドチャネルの前記数が３であり、ここにおいて、前記コーナーが、０ｄＢｃ相対電力において前記ボンデッドチャネルの中心周波数からそれぞれ±３．１ＧＨｚである第１のコーナーと、−１７ｄＢｃ相対電力において前記中心周波数からそれぞれ±３．６ＧＨｚである第２のコーナーと、−２２ｄＢｃ相対電力において前記中心周波数からそれぞれ±８．１ＧＨｚである第３のコーナーと、−３０ｄＢｃ相対電力において前記中心周波数からそれぞれ±６．１２ＧＨｚである第４のコーナーとを備える、Ｃ１０８に記載の装置。
［Ｃ１１１］
ボンデッドチャネルの前記数が４であり、ここにおいて、前記コーナーが、０ｄＢｃ相対電力において前記ボンデッドチャネルの中心周波数からそれぞれ±４．１８ＧＨｚである第１のコーナーと、−１７ｄＢｃ相対電力において前記中心周波数からそれぞれ±４．８ＧＨｚである第２のコーナーと、−２２ｄＢｃ相対電力において前記中心周波数からそれぞれ±１０．８ＧＨｚである第３のコーナーと、−３０ｄＢｃ相対電力において前記中心周波数からそれぞれ±１２．２４ＧＨｚである第４のコーナーとを備える、Ｃ１０８に記載の装置。
［Ｃ１１２］
前記フレームを生成するための前記手段が、時間的にボンディングされるが、周波数的に分離された複数のチャネルを介した送信のために前記フレームを生成するための手段を備える、Ｃ８７に記載の装置。
［Ｃ１１３］
前記データペイロードが、前記複数のチャネルを介して送信されるべき複数のデータブロックを備える、Ｃ１１２に記載の装置。
［Ｃ１１４］
１つのＭＣＳが、それぞれ、前記複数のチャネルを介して送信されるべき前記データブロックを変調および符号化するために使用される、Ｃ１１３に記載の装置。
［Ｃ１１５］
それぞれのチャネルを介して送信されるべき前記データブロックが同等である、Ｃ１１２に記載の装置。
［Ｃ１１６］
前記複数のチャネルのうちの少なくとも２つが、送信のために利用可能な少なくとも別のチャネルによって周波数的に分離され、ここにおいて、前記フレームを出力するための前記手段が、前記複数のチャネルのうちの前記少なくとも２つのみを介した送信のために前記フレームを出力するための手段を備える、Ｃ１１２に記載の装置。
［Ｃ１１７］
前記フレームを生成するための前記手段が、複数の直交周波数分割多重（ＯＦＤＭ）ボンデッドチャネルを介した送信のために前記フレームを生成することを備える、Ｃ８７に記載の装置。
［Ｃ１１８］
前記データペイロードを送信するためのデータサブキャリアの数が、前記ＯＦＤＭボンデッドチャネルの数の関数である、Ｃ１１７に記載の装置。
［Ｃ１１９］
データサブキャリアの前記数は、前記ＯＦＤＭボンデッドチャネルの前記数が２である場合、７３２、７３４、または７３５である、Ｃ１１８に記載の装置。
［Ｃ１２０］
データサブキャリアの前記数は、前記ＯＦＤＭボンデッドチャネルの前記数が３である場合、１１２８、１１３３、または１１３４である、Ｃ１１８に記載の装置。
［Ｃ１２１］
データサブキャリアの前記数は、前記ＯＦＤＭボンデッドチャネルの前記数が４である場合、１５２４、１５３３、または１５３４である、Ｃ１１８に記載の装置。
［Ｃ１２２］
パイロット信号を送信するためのパイロットサブキャリアの数が、前記ＯＦＤＭボンデッドチャネルの数の関数である、Ｃ１１７に記載の装置。
［Ｃ１２３］
パイロットサブキャリアの前記数は、前記ＯＦＤＭボンデッドチャネルの前記数が２である場合、３６、３７、または４０である、Ｃ１２２に記載の装置。
［Ｃ１２４］
前記パイロットサブキャリアが、１９個または２１個のサブキャリアだけ離間される、Ｃ１２２に記載の装置。
［Ｃ１２５］
パイロットサブキャリアの前記数は、前記ＯＦＤＭボンデッドチャネルの前記数が３である場合、５６、５７、または６２である、Ｃ１２２に記載の装置。
［Ｃ１２６］
パイロットサブキャリアの前記数は、前記ＯＦＤＭボンデッドチャネルの前記数が４である場合、７６、７７、または８４である、Ｃ１２２に記載の装置。
［Ｃ１２７］
前記複数のＯＦＤＭボンデッドチャネルが、前記第２のプロトコルによって定義されたそれらの間の周波数ギャップをもつ２つの隣接するチャネルを備え、ここにおいて、前記周波数ギャップ内のサブキャリアの数が４１８、４１９、または４２０である、Ｃ１１７に記載の装置。
［Ｃ１２８］
前記フレームを生成するための前記手段が、複数の直交周波数分割多重（ＯＦＤＭ）ボンデッドチャネルまたはシングルＯＦＤＭチャネルを介した送信のために前記フレームを生成するための手段を備え、ここにおいて、ＤＣサブキャリアの数は、前記フレームが、前記複数の前記ＯＦＤＭボンデッドチャネルを介して送信されるのか、前記ＯＦＤＭシングルチャネルを介して送信されるのかにかかわらず同じである、Ｃ８７に記載の装置。
［Ｃ１２９］
前記フレームを生成するための前記手段が、ボンデッドチャネルおよびシングルチャネルを介した送信のために前記フレームを生成するための手段を備え、ここにおいて、前記ボンデッドチャネルが、送信のために利用可能な少なくとも別のチャネルによって前記シングルチャネルから周波数的に分離され、ここにおいて、前記フレームを出力するための前記手段が、前記ボンデッドチャネルおよび前記シングルチャネルのみを介した送信のために前記フレームを出力するための手段を備える、Ｃ８７に記載の装置。
［Ｃ１３０］
プリアンブルと、ヘッダと、データペイロードとを備えるフレームを生成することと、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、送信のために前記フレームを出力することと
を行うための命令を記憶したコンピュータ可読媒体。
［Ｃ１３１］
少なくとも１つのアンテナと、
プリアンブルと、ヘッダと、データペイロードとを備えるフレームを生成するように構成された処理システムと、ここにおいて、前記プリアンブル、前記ヘッダ、および前記データペイロードが、第１のプロトコルに従って動作するとき、第１のデバイスによって復号可能であり、ここにおいて、前記プリアンブルおよび前記ヘッダが、第２のプロトコルに従って動作するとき、第２のデバイスによって復号可能であり、前記データペイロードが、前記第２のプロトコルに従って動作するとき、前記第２のデバイスによって復号可能でない、
前記少なくとも１つのアンテナを介した送信のために前記フレームを出力するように構成されたインターフェースと
を備える、ワイヤレスノード。
【外国語明細書】
2020156092000001.pdf